(57)【要約】【課題】ユーザの意図した出力順序で複数の記録媒体を出力させることのできる画像形成制御装置を提供することである。【解決手段】画像形成制御装置は、複数のページの原稿の入力順序を示す入力順序情報を取得する取得手段と、前記入力順序情報と前記原稿に対応する画像が形成される記録媒体が出力されるときの当該記録媒体の画像形成面の向きとに基づき、前記複数のページにかかわるページの生成順序を決定する決定手段と、を備えているものである。【選択図】図１
2011137984.tif 000002
【特許請求の範囲】
【請求項１】
複数のページの原稿の入力順序を示す入力順序情報を取得する取得手段と、
前記入力順序情報と前記原稿に対応する画像が形成される記録媒体が出力されるときの当該記録媒体の画像形成面の向きとに基づき、前記複数のページにかかわるページの生成順序を決定する決定手段と、
を有することを特徴とする画像形成制御装置。
【請求項２】
前記決定手段は、
前記記録媒体の画像形成面が上向きの場合には最終のページから画像形成されるよう制御し、一方、前記記録媒体の画像形成面が下向きの場合は先頭のページから画像形成されるよう制御する、
ことを特徴とする請求項１に記載の画像形成制御装置。
【請求項３】
前記取得手段は、
前記記録媒体を出力する複数の出力先のうち何れかを示す出力先情報をさらに取得し、
前記決定手段は、
前記入力順序情報と前記出力先情報に基づく出力先での記録媒体の出力形態として予め定められている記録媒体の画像形成面の向きとに基づき、前記複数のページにかかわるページの生成順序を決定する、
ことを特徴とする請求項１または２に記載の画像形成制御装置。
【請求項４】
前記原稿に対応する画像が形成される記録媒体に対する後処理を実施するとともに後処理した後の記録媒体を出力する後処理装置が画像形成装置に接続されている場合、
前記決定手段は、
前記入力順序情報と前記後処理装置での記録媒体の出力形態として予め定められている記録媒体の画像形成面の向きとに基づき、前記複数のページにかかわるページの生成順序を決定する、
ことを特徴とする請求項１〜３の何れか一項に記載の画像形成制御装置。
【請求項５】
前記取得手段は、
前記記録媒体の出力先を示す複数の出力先情報、および出力先毎の前記複数のページの原稿にかかわる画像形成すべき部数を示す部数情報をさらに取得し、
前記決定手段は、
前記入力順序情報と前記部数情報に基づく部数単位毎の前記出力先情報に基づく出力先での記録媒体の出力形態として予め定められている記録媒体の画像形成面の向きとに基づき、当該部数単位毎の前記複数のページにかかわるページの生成順序を決定する、
ことを特徴とする請求項１または２に記載の画像形成制御装置。
【請求項６】
前記取得手段は、
前記記録媒体の出力先を示す出力先情報、前記複数のページの原稿にかかわる画像形成すべき複数部数のうち一部目を先行して出力する旨を示す先行出力情報をさらに取得し、
前記決定手段は、
前記先行出力情報を基に一部目のみを先行して出力すべきと認識した場合に、前記入力順序情報と前記出力先情報に基づく出力先での記録媒体の出力形態として予め定められている記録媒体の画像形成面の向きとに基づき決定される前記複数のページの出力順序が前記原稿の入力順序とは異なるときは、一部目のみについて、ページ毎に原稿の読み込み処理と前記原稿の入力順序で当該読み込み処理の結果に応じた画像データに基づく画像形成処理の結果の出力処理とが実施されるよう制御する、
ことを特徴とする請求項１または２に記載の画像形成制御装置。
【請求項７】
前記決定手段は、
前記先行出力情報を基に一部目のみを先行して出力すべきと認識した場合は、一部目については二部目以降とは異なる順序で出力処理される旨の通知を行う、
ことを特徴とする請求項６に記載の画像形成制御装置。
【請求項８】
複数のページの原稿の入力順序を示す入力順序情報を入力する入力手段と、
前記入力順序情報に基づく入力順序に従って提供される複数のページの原稿の画像を読み取る読取手段と、
前記読み取りの結果としてのページ毎の画像データを記憶する記憶手段と、
請求項１から請求項７の何れか一項に記載の画像形成制御装置と、
前記画像形成制御装置によって決定されたページの生成順序に従って前記記憶手段から読み出されるページ毎の画像データに基づき記録媒体に画像を形成する画像形成手段と、
前記画像形成手段によって画像が形成された記録媒体を出力する出力手段と、
を有することを特徴とする画像形成装置。
【請求項９】
請求項８に記載の画像形成装置と、
前記画像形成装置から出力される記録媒体に対する後処理を実施するとともに後処理した後の記録媒体を出力する後処理装置と、
を有することを特徴とする画像形成システム。
【請求項１０】
複数のページの原稿の入力順序を示す入力順序情報を取得する取得処理過程と、
前記入力順序情報と前記原稿に対応する画像が形成される記録媒体が出力されるときの当該記録媒体の画像形成面の向きとに基づき、前記複数のページにかかわるページの生成順序を決定する決定処理過程と、
をコンピュータに実行させることを特徴とするプログラム。
【発明の詳細な説明】
【技術分野】
【０００１】
本発明は、画像形成制御装置、画像形成装置、画像形成システム、プログラムに関するものである。
【背景技術】
【０００２】
画像形成装置には、原稿の画像を読み取る画像読取装置および画像が形成された記録媒体の表裏を反転させる反転機構を備えているものがある。
【０００３】
このような画像形成装置では、画像読取装置が読み取った原稿の画像データを基に画像を記録媒体に形成するとともに、画像が形成された記録媒体の表裏を反転機構により反転させる。例えば、画像が形成された画像形成面の向きが例えば下向き（上向き）の状態で記録媒体が出力される場合においては、反転機構を用いたときは、前記画像形成面の向きが上向き（下向き）の状態で記録媒体が出力される。
【０００４】
なお、画像読取装置および反転機構を備えた装置としては、例えば特許文献１および特許文献２に記載されたものが知られている。
【０００５】
また、画像形成装置には、複数のページの画像データに対応する画像が形成される複数の記録媒体を、その画像形成面を上向きあるいは下向きの状態で出力させるかに応じて、前記複数のページの画像データの出力順序を制御するものがある。
【０００６】
なお、複数のページの画像データの出力順序を制御する装置としては、例えば特許文献３に記載されたものが知られている。
【先行技術文献】
【特許文献】
【０００７】
【特許文献１】特開平０５−０３５０３４号公報
【特許文献２】特開２００６−１４６６５２号公報
【特許文献３】特開２００３−３２６８１０号公報
【発明の概要】
【発明が解決しようとする課題】
【０００８】
本発明は、ユーザの意図した出力順序で複数の記録媒体を出力させることのできる画像形成制御装置、画像形成装置、画像形成システム、プログラムを提供することを目的とする。
【課題を解決するための手段】
【０００９】
上記課題を解決するため、請求項１に記載の本発明の画像形成制御装置は、複数のページの原稿の入力順序を示す入力順序情報を取得する取得手段と、前記入力順序情報と前記原稿に対応する画像が形成される記録媒体が出力されるときの当該記録媒体の画像形成面の向きとに基づき、前記複数のページにかかわるページの生成順序を決定する決定手段と、を有することを特徴とする。
【００１０】
請求項２に記載の発明は、上記請求項１に記載の発明において、前記決定手段は、前記記録媒体の画像形成面が上向きの場合には最終のページから画像形成されるよう制御し、一方、前記記録媒体の画像形成面が下向きの場合は先頭のページから画像形成されるよう制御する、ことを特徴とする。
【００１１】
請求項３に記載の発明は、上記請求項１または２に記載の発明において、前記取得手段は、前記記録媒体を出力する複数の出力先のうち何れかを示す出力先情報をさらに取得し、前記決定手段は、前記入力順序情報と前記出力先情報に基づく出力先での記録媒体の出力形態として予め定められている記録媒体の画像形成面の向きとに基づき、前記複数のページにかかわるページの生成順序を決定する、ことを特徴とする。
【００１２】
請求項４に記載の発明は、上記請求項１〜３の何れか一項に記載の発明において、前記原稿に対応する画像が形成される記録媒体に対する後処理を実施するとともに後処理した後の記録媒体を出力する後処理装置が画像形成装置に接続されている場合、前記決定手段は、前記入力順序情報と前記後処理装置での記録媒体の出力形態として予め定められている記録媒体の画像形成面の向きとに基づき、前記複数のページにかかわるページの生成順序を決定する、ことを特徴とする。
【００１３】
請求項５に記載の発明は、上記請求項１または２に記載の発明において、前記取得手段は、前記記録媒体の出力先を示す複数の出力先情報、および出力先毎の前記複数のページの原稿にかかわる画像形成すべき部数を示す部数情報をさらに取得し、前記決定手段は、前記入力順序情報と前記部数情報に基づく部数単位毎の前記出力先情報に基づく出力先での記録媒体の出力形態として予め定められている記録媒体の画像形成面の向きとに基づき、当該部数単位毎の前記複数のページにかかわるページの生成順序を決定する、ことを特徴とする。
【００１４】
請求項６に記載の発明は、上記請求項１または２に記載の発明において、前記取得手段は、前記記録媒体の出力先を示す出力先情報、前記複数のページの原稿にかかわる画像形成すべき複数部数のうち一部目を先行して出力する旨を示す先行出力情報をさらに取得し、前記決定手段は、前記先行出力情報を基に一部目のみを先行して出力すべきと認識した場合に、前記入力順序情報と前記出力先情報に基づく出力先での記録媒体の出力形態として予め定められている記録媒体の画像形成面の向きとに基づき決定される前記複数のページの出力順序が前記原稿の入力順序とは異なるときは、一部目のみについて、ページ毎に原稿の読み込み処理と前記原稿の入力順序で当該読み込み処理の結果に応じた画像データに基づく画像形成処理の結果の出力処理とが実施されるよう制御する、ことを特徴とする。
【００１５】
請求項７に記載の発明は、上記請求項６に記載の発明において、前記決定手段は、前記先行出力情報を基に一部目のみを先行して出力すべきと認識した場合は、一部目については二部目以降とは異なる順序で出力処理される旨の通知を行う、ことを特徴とする。
【００１６】
上記課題を解決するため、請求項８に記載の本発明の画像形成装置は、複数のページの原稿の入力順序を示す入力順序情報を入力する入力手段と、前記入力順序情報に基づく入力順序に従って提供される複数のページの原稿の画像を読み取る読取手段と、前記読み取りの結果としてのページ毎の画像データを記憶する記憶手段と、請求項１から請求項７の何れか一項に記載の画像形成制御装置と、前記画像形成制御装置によって決定されたページの生成順序に従って前記記憶手段から読み出されるページ毎の画像データに基づき記録媒体に画像を形成する画像形成手段と、前記画像形成手段によって画像が形成された記録媒体を出力する出力手段と、を有することを特徴とする。
【００１７】
上記課題を解決するため、請求項９に記載の本発明の画形成システムは、請求項８に記載の画像形成装置と、前記画像形成装置から出力される記録媒体に対する後処理を実施するとともに後処理した後の記録媒体を出力する後処理装置と、を有することを特徴とする。
【００１８】
上記課題を解決するため、請求項１０に記載の本発明のプログラムは、複数のページの原稿の入力順序を示す入力順序情報を取得する取得処理過程と、前記入力順序情報と前記原稿に対応する画像が形成される記録媒体が出力されるときの当該記録媒体の画像形成面の向きとに基づき、前記複数のページにかかわるページの生成順序を決定する決定処理過程と、をコンピュータに実行させることを特徴とする。
【発明の効果】
【００１９】
請求項１記載の発明によれば、ユーザの意図した出力順序で複数の記録媒体を出力させることができる。
【００２０】
請求項２記載の発明によれば、出力される記録媒体の画像形成面の向きが上向きあるいは下向きの何れの場合であっても、ユーザの意図した出力順序で複数の記録媒体を出力させることができる。
【００２１】
請求項３記載の発明によれば、指定される出力先から出力される記録媒体の画像形成面の向きが上向きあるいは下向きの何れの場合であっても、ユーザの意図した出力順序で複数の記録媒体を出力させることができる。
【００２２】
請求項４記載の発明によれば、後処理装置から出力される後処理後の複数の記録媒体に関してユーザの意図した出力順序で出力させることができる。
【００２３】
請求項５記載の発明によれば、部数単位毎に指定される出力先から出力される記録媒体の画像形成面の向きが上向きあるいは下向きの何れの場合であっても、ユーザの意図した出力順序で複数の記録媒体を出力させることができる。
【００２４】
請求項６記載の発明によれば、複数の記録媒体の出力順序が複数の原稿の入力順序とは異なる場合に、ユーザは画像形成の結果が意図した内容であるかを迅速に確認することができる。
【００２５】
請求項７記載の発明によれば、ユーザは、先行して出力される一部目の記録媒体は二部目以降の記録媒体とは異なる順序で出力されるということを認識したうえで、一部目にかかわる画像形成の結果が意図した内容であるかを迅速に確認することができる。
【００２６】
請求項８記載の発明によれば、ユーザの意図した出力順序で複数の記録媒体を出力させることができる。
【００２７】
請求項９記載の発明によれば、ユーザの意図した出力順序で複数の記録媒体を出力させることができる。
【００２８】
請求項１０記載の発明によれば、ユーザの意図した出力順序で複数の記録媒体を出力させるソフトウェアを提供することができる。
【図面の簡単な説明】
【００２９】
【図１】第１の実施の形態に係わる画像形成システムの機能構成を示すブロック図である。
【図２】第１の実施の形態に係わる画像形成装置の操作パネルに表示される仕分け設定画面での設定内容の一例を示す図である。
【図３】第１の実施の形態に係わる画像形成装置の操作パネルに表示される紙折り設定画面での設定内容の一例を示す図である。
【図４】第１の実施の形態に係わる画像形成装置の操作パネルに表示される排出方向切換え設定画面での設定内容の一例を示す図である。
【図５】第１の実施の形態に係わる画像読取装置の概略の断面を示す断面図である。
【図６】第１の実施の形態に係わる画像出力装置の画像形成部の構成を示す構成図である。
【図７】第１の実施の形態に係わる画像形成装置に折り装置が接続された画像形成システムの概略の断面を示す断面図である。
【図８】第１の実施の形態にかかわるページ生成順序決定に関するページ生成順序決定規則を説明する図である。
【図９】第１の実施の形態に係わる画像読取装置によって読み取られる原稿の入力順序（正順）およびその場合のコントローラの記憶部に記憶される画像データを説明する図である。
【図１０】第１の実施の形態に係わる画像読取装置によって読み取られる原稿の入力順序（逆順）およびその場合のコントローラの記憶部に記憶される画像データを説明する図である。
【図１１】第１の実施の形態に係わるコントローラの決定部によって決定されるページ生成順序の様子および出力先からフェイスアップの状態で出力される記録媒体の様子を説明する図である。
【図１２】第１の実施の形態に係わるコントローラの決定部によって決定されるページ生成順序の様子および出力先からフェイスダウンの状態で出力される記録媒体の様子を説明する図である。
【図１３】第１の実施の形態に係わる画像形成システムによる画像形成処理の処理手順を示すフローチャートである。
【図１４】第２の実施の形態に係わる画像形成システムの概略の断面を示す断面図である。
【図１５】第２の実施の形態に係わる画像形成システムの用紙搬送方向切換え装置での記録媒体の出力を説明する断面図である。
【図１６】第２の実施の形態に係わる画像形成システムの正面を示す正面図である。
【図１７】第３の実施の形態に係わる画像形成装置のコントローラの機能構成を示すブロック図である。
【図１８】第３の実施の形態に係わるコントローラのジョブメモリ記憶部に登録されるジョブメモリへの設定内容を説明する図である。
【図１９】第３の実施の形態に係わる画像形成システムによるマルチジョブソートでの画像出力の概略を説明する図である。
【図２０】第３の実施の形態に係わる画像形成システムによる画像形成処理の処理手順を示すフローチャートである。
【図２１】第３の実施の形態に係わる画像形成装置によるマルチジョブソートの場合に外部記憶装置に蓄積される画像データの一例を示す図である。
【図２２】第３の実施の形態に係わるコントローラのジョブ制御部により生成されるマルチジョブソートページ生成情報の一例を示す図である。
【図２３】第３の実施の形態に係わるコントローラによるマルチジョブソートページ生成処理の処理手順を示すフローチャートである。
【図２４】第４の実施の形態に係わる画像形成システムでの原稿の入力順序と記録媒体の出力順序との関係を説明する図である。
【図２５】第４の実施の形態に係わるコントローラのジョブ制御部の決定部によるページ生成順序決定処理の処理手順を示すフローチャートである。
【図２６】第４の実施の形態に係わる画像形成システムによる画像形成処理（記録媒体の出力順序が原稿の入力順序に対し逆順の場合）の処理手順を示すフローチャートである。
【図２７】第４の実施の形態に係わる画像形成システムによる画像形成処理（記録媒体の出力順序が原稿の入力順序に対し逆順の場合）における一部先行出力の指示例および一部先行出力の出力形態の通知例を示す図である。
【図２８】第４の実施の形態に係わる画像形成システムによる画像形成処理（記録媒体の出力順序が原稿の入力順序に対し正順の場合）の処理手順を示すフローチャートである。
【図２９】第１の実施の形態から第４の実施の形態に係わる画像形成装置のハードウェア構成を示す構成図である。
【発明を実施するための形態】
【００３０】
以下、本発明の一例としての実施の形態について、図面に基づいて詳細に説明する。なお、実施の形態を説明するための図面において、同一の構成要素には原則として同一の符号を付し、その繰り返しの説明は省略する。
【００３１】
（第１の実施の形態）
【００３２】
第１の実施の形態に係わる画像形成システムの機能構成について、図１を参照して説明する。
【００３３】
画像形成システム１は、図１に示すように、画像形成装置１０と折り装置２０とを有している。
【００３４】
画像形成装置１０は、操作パネル１００と画像読取装置２００とコントローラ３００と画像出力装置４００とを有している。なお、コントローラ３００と画像出力装置４００とで画像形成装置本体５００を形成する。
【００３５】
操作パネル１００は、ユーザインタフェースの機能を果たすものであり、テンキーやファンクションキーなどを備えた入力部と、例えばＬＣＤ（液晶ディスプレイ）あるいは液晶タッチパネルで構成される表示部とを有している。
【００３６】
操作パネル１００において、上記入力部は、給紙選択方法、複写部数、紙折り方法などのパラメータ、原稿の入力順序を示す入力順序情報、記憶媒体を出力する出力先を示す出力先情報、原稿終了を示す旨など入力情報を入力するものである。また、上記表示部は、上記入力順序情報や上記出力先情報など入力情報を設定するための設定画面、画像形成装置の状態を示す状態情報など表示情報を表示するものである。なお、操作パネル１００（の入力部）は、入力手段の機能を果たす。
【００３７】
例えば、ユーザは、操作パネル１００の入力部を操作することにより、仕分け設定画面、紙折り設定画面、排出方向切換え設定画面の中の所望の設定画面を表示部に表示させ、表示部に表示された所望の設定画面に対して入力情報（設定情報）を入力（設定）する。
【００３８】
図２は仕分け設定画面に対する設定例を示す。この仕分け設定画面に対しては、仕分け方法として「スタック（ページごと）」あるいは「ソート（１部ごと）」の何れかが指定（設定）されるとともに、原稿の入力順序（原稿順）として「正順」あるいは「逆順」の何れかが指定（設定）される。
【００３９】
図２（ａ）には、「ソート（１部ごと）」が指定され、原稿の入力順序として「逆順」が指定されていることが示されている。図２（ｂ）には、「ソート（１部ごと）」が指定され、原稿の入力順序として「正順」が指定されていることが示されている。
【００４０】
図３は紙折り設定画面に対する設定例を示す。この紙折り設定画面に対しては、紙折りに関する設定情報として紙折りしないを示す「しない」、ファン折りを示す「ファン」、クロス折りを示す「クロス」、および特殊折りを示す「特殊」のうち何れかが指定（設定）されるとともに、「単方向」、「耳折り」、「とじしろ」などが指定（設定）される。
【００４１】
図３（ａ）には、紙折りに関する設定情報として「クロス」が指定され、さらに「単方向」、「耳折り」、「とじしろ」が指定されていることが示されている。図３（ｂ）には、紙折りに関する設定情報として「しない」が指定されていることが示されている。
【００４２】
図４は排出方向切換え設定画面に対する設定例を示す。この排出方向切換え設定画面に対しては、記録媒体の排出方向として、当該画像形成装置１０の正面の方向に記録媒体が排出されることを示す「前方排出」あるいは当該画像形成装置１０の背面の方向に記録媒体が排出されることを示す「後方排出」の何れかが指定（設定）される。
【００４３】
図４（ａ）には、記録媒体の排出方向として「前方排出」が指定されていることが示されている。図４（ｂ）には、記録媒体の排出方向として「後方排出」が指定されていることが示されている。
【００４４】
さて、図１において、画像読取装置２００は、Ａ０サイズ、Ａ１サイズなどの大判の原稿を取り扱いし得るものであり、図５に示すように、図中矢印２０１Ａの方向から手差し挿入された大判の原稿２０１を受け入れる原稿挿入口２０２と、原稿挿入口２０２が受け入れた大判の原稿２０１を矢印２０１Ａの方向に搬送する一対の原稿搬送ローラ２１０と、搬送されてくる原稿２０１の画像を読み取る画像読み取りセンサ２２０とを有している。
【００４５】
なお、ユーザは、大判の原稿２０１を、その原稿の表面（画像形成面）の向きが下になるようにして原稿挿入口２０２に挿入するようにする。
【００４６】
画像読み取りセンサ２２０は、例えばリニアイメージセンサ、具体的には例えばＣＣＤ（電荷結合素子）ラインセンサで構成され、搬送されてくる原稿２０１を光学的に読み取り、この読み取りの結果である光学信号を電気信号（アナログの画像データ）に変換する。
【００４７】
そして、画像読取装置２００は、画像読み取りセンサ２２０によって得られた画像データ（アナログの画像データ）をデジタルの画像データ（原稿イメージ）に変換し、この変換後の画像データ（原稿イメージ）をコントローラ３００へ出力する。
【００４８】
再度、図１を参照して説明する。コントローラ３００は、画像形成制御装置の機能を有し、操作パネル制御部３１０、ジョブ制御部３２０、記憶部３３０、圧縮伸長部３４０および外部記憶装置３５０を有している。
【００４９】
操作パネル制御部３１０は、操作パネル１００に対する入力制御および表示制御を行うとともに、操作パネル１００で指定されたパラメータ情報など入力情報をジョブ制御部３２０へ出力する。
【００５０】
ジョブ制御部３２０は、取得部３２１０と決定部３２２０とを有している。
【００５１】
取得部３２１０は、取得手段の機能を有し、複数のページの原稿の入力順序を示す入力順序情報を取得するとともに、用紙など記録媒体を出力する複数の出力先のうち何れかを示す出力先情報を取得し、これらの情報を決定部３２２０へ出力する。
【００５２】
決定部３２２０は、決定手段の機能を有し、取得部３２１０によって取得された入力順序情報および出力先情報に基づき、上記複数のページにかかわるページの生成順序を決定する。決定部３２２０によるページの生成順序の決定処理の詳細については後述する。
【００５３】
また、ジョブ制御部３２０は、操作パネル制御部３１０からのパラメータに基づいて、画像読取装置２００および画像出力装置４００を制御して複写動作を行う。
【００５４】
例えば、ジョブ制御部３２０は、画像読取装置２００から出力される原稿（原稿画像）に対応する画像データを受け取り、記憶部３３０に格納する。また、ジョブ制御部３２０は、画像出力装置４００の状態を監視し、その監視の結果、画像出力装置４００が画像形成処理を実施し得る状態のときは、記憶部３３０内の画像データを読み出して画像出力装置４００へ出力する。
【００５５】
記憶部３３０は、記憶手段の機能を有し、画像読取装置２００によって読み取られた原稿の画像データ（原稿イメージ）、操作パネル１００からのパラメータ情報など入力情報、後述するページ生成順序決定規則を示す情報などを記憶する。記憶部３３０には、原稿の画像データや入力情報を記憶する第１の記憶領域と、ページ生成順序決定規則を示す情報を予め記憶する第２の記憶領域とが割り当てられている。記憶部３３０は例えばＳＤＲＡＭ等のメモリで構成される。
【００５６】
圧縮伸長部３４０は、画像データに対する圧縮処理を実行するとともに圧縮された画像データに対する伸長処理を実行する。
【００５７】
外部記憶装置３５０は、例えばハードディスクであり、圧縮された画像データを蓄積する。
【００５８】
ところで、コントローラ３００（あるいは画像形成装置１０）は、複数部数のコピーが指示された場合に、電子的にソートコピーを行う電子ソート機能を有している。
【００５９】
この電子ソート機能を有するコントローラ３００では、電子ソートで原稿を蓄積する場合、ジョブ制御部３２０は、画像読取装置２００で読み取られた画像データ（原稿イメージ）を記憶部３３０に記憶するとともに、圧縮伸長部３４０に対し圧縮を指示する。圧縮伸長部３４０は、ジョブ制御部３２０の制御に従って、記憶部３３０に記憶されている画像データに対し圧縮処理を施し、圧縮処理後の画像データを外部記憶装置３５０に蓄積する。
【００６０】
そして、ジョブ制御部３２０は、１部目は記憶部３３０から画像データを読み出して画像出力装置４００へ出力する。また、ジョブ制御部３２０は、２部目以降については、圧縮伸長部３４０に対し伸長を指示することにより、圧縮伸長部３４０が、外部記憶装置３５０に蓄積されている画像データ（圧縮された画像データ）に対し伸長処理を施し、伸長処理後の画像データを記憶部３３０に格納するので、記憶部３３０からその画像データを読み出して画像出力装置４００へ出力する。
【００６１】
画像出力装置４００は、画像形成手段の機能を果たす画像形成部４１０、および出力手段の機能を果たす記録媒体出力部４２０を有している。
【００６２】
画像形成部４１０は、図６に示すように、像保持体としての感光体ドラム４１１、感光体ドラム４１１の表面を所望の極性の電位に帯電させる帯電手段としての帯電装置４１２、帯電された感光体ドラム４１１に向けて画像データに対応する露光光を照射する露光手段としての露光装置４１３、感光体ドラム４１１に形成された静電潜像に現像剤（トナー）を与えて現像する現像手段としての現像装置４１４、感光体ドラム４１１に形成されたトナー像を用紙など記録媒体に転写させる転写手段としての転写ローラ（転写装置）４１５、トナー像が転写された記録媒体に対し熱および圧力を与えてトナー像を定着させる定着手段としての定着装置（フューザー）４１６、および感光体ドラム４１１の周面上の残留トナーを除去するクリーニング手段としてのクリーニング装置４１７を備えている。
【００６３】
このような画像出力装置４００は、図７に示すように、ロール紙を画像形成部４１０に向けて供給するロール紙供給部４３１，４３２と、指定された切断タイミングでロール紙供給部４３１から供給されるロール紙を切断するカッター４４１と、指定された切断タイミングでロール紙供給部４３２から供給されるロール紙を切断するカッター４４２と、ロール紙供給部４３１あるいはロール紙供給部４３２から供給されるロール紙（切断後の用紙）を画像形成部４１０に向けて搬送する用紙搬送ローラ４５１，４５２とを備えている。
【００６４】
ロール紙供給部４３１から供給されるロール紙が切断された用紙（Ａ０サイズやＡ１サイズに相当する用紙）は、用紙搬送ローラ４５１，４５２を経由して画像形成部４１０に供給される。また、ロール紙供給部４３２から供給されるロール紙が切断された用紙（Ａ０サイズやＡ１サイズに相当する用紙）は、用紙搬送ローラ４５２を経由して画像形成部４１０に供給される。
【００６５】
また、図７に示すように、画像形成部４１０の定着装置（フューザー）４１６の用紙搬送方向の下流側には、記録媒体出力部４２０が設けられている。
【００６６】
図７に示す例では、画像形成装置本体５００の画像出力装置４００には、記録媒体出力部４２０から出力される記録媒体を受け入れる後処理装置の機能を果たす折り装置２０が接続されている。
【００６７】
折り装置２０は、紙折り（後処理）を実施する機構、および紙折り（後処理）した後の記録媒体の表裏を反転する反転機構を備えている。また、折り装置２０は、図７に示すように、画像出力装置４００の記録媒体出力部４２０から出力される記録媒体を受け入れる記録媒体受入口２１、記録媒体受入口２１が受け入れた記録媒体をその画像形成面が上向きの状態で外部へ出力（排出）する記録媒体出力部２２、および記録媒体受入口２１が受け入れた記録媒体に対して紙折り（後処理）された後の記録媒体をその画像形成面が下向きの状態で外部へ出力（排出）する記録媒体出力部２３を備えている。なお、記録媒体出力部２２，２３は、出力手段の機能を果たす。
【００６８】
折り装置２０は、紙折りなしが指定されている場合（図３（ｂ）参照）にはコントローラ３００の制御の下、画像形成装置１０（の記憶媒体出力部４２０）から出力（搬送）されてきた記録媒体（原稿に対応する画像が形成される記録媒体）については、紙折り（後処理）を実施することなく、記録媒体出力部２２から出力する。この場合、記録媒体は、記録媒体出力部２２から画像形成面が上向きの状態で出力される。
【００６９】
これに対し、折り装置２０は、紙折りありが指定されている場合（図３（ａ）参照）はコントローラ３００の制御の下、紙折り（後処理）を実施する機構によって、画像形成装置１０（の記憶媒体出力部４２０）から出力（搬送）されてきた記録媒体に対する紙折り（後処理）を実施する。
【００７０】
また、折り装置２０は、反転機構によって、紙折り（後処理）した後の記録媒体の表裏を反転し、表裏を反転した後の記録媒体を、記録媒体出力部２３から出力する。この場合、記録媒体は、記録媒体出力部２３から画像形成面が下向きの状態で出力される。
【００７１】
次に、決定部３２２０によるページの生成順序（以下「ページ生成順序」という。）の決定処理について説明する。
【００７２】
決定部３２２０は、記録媒体が出力されるときの当該記録媒体の画像形成面が上向きの場合には最終のページから画像形成されるよう制御（ページ生成順序を決定）し、一方、当該記録媒体の画像形成面が下向きの場合は先頭のページから画像形成されるよう制御（ページ生成順序を決定）する。
【００７３】
また、決定部３２２０は、入力順序情報と出力先情報に基づく出力先での記録媒体の出力形態として予め定められている記録媒体の画像形成面の向きとに基づき、複数のページにかかわるページ生成順序を決定する。
【００７４】
さらに、決定部３２２０は、出力先として折り装置２０が指定されている場合、入力順序情報と折り装置２０での記録媒体の出力形態として予め定められている記録媒体の画像形成面の向きとに基づき、複数のページにかかわるページ生成順序を決定する。
【００７５】
本願明細書において、記録媒体の画像形成面の向きは上向きまたは下向きなので、記録媒体の画像形成面の向きが上向きのことを「フェイスアップ」と表記し、一方、記録媒体の画像形成面の向きが下向きのことを「フェイスダウン」と表記する。
【００７６】
出力先に対応して、その出力先の機構に応じて記録媒体をフェイスアップ（画像形成面が上向き）で出力するのか、あるいはフェイスダウン（画像形成面が下向き）で出力するのかの出力形態が予め定められている。
【００７７】
画像形成システム１において、出力先とは、例えば、画像出力装置４００の記録媒体出力部４２０、折り装置２０のことである（図７参照）。
【００７８】
なお、出力先が折り装置２０のときは、出力先は、紙折りなしの場合には記録媒体出力部２２となり、紙折りありの場合は記録媒体出力部２３となる。すなわち、紙折りの指定がされていない場合では、記録媒体は、折り装置２０で折られないで記録媒体出力部２２からフェイスアップの状態で出力される。一方、紙折りの指定がされている場合では、記録媒体は、折り装置２０で折られて記録媒体出力部２３からフェイスダウンの状態で出力される。
【００７９】
決定部３２２０は、上述したページ生成順序を決定するに際し、図８に示すページ生成順序決定規則に従って、ページ生成順序を決定するようになっている。
【００８０】
このページ生成順序決定規則は、図８に示すように、入力順序としての正順または逆順と出力先つまり出力先から出力される記録媒体の画像形成面の向きとしてのフェイスアップまたはフェイスダウンとに基づき、ページの生成順序（画像データの読出し順序）が一意に決定されるようになっている。
【００８１】
このようなページ生成順序決定規則を示す情報は、例えば記憶部３３０に予め記憶されている。
【００８２】
入力順序が正順とは、複数（ｎ）のページの原稿の場合、ページ１つまり先頭ページ、ページ２、・・・、ページ（ｎ−１）、ページ（ｎ）つまり最終ページの順を意味する。
【００８３】
例えば、５ページ分の原稿を正順で入力（挿入）する場合では、図９（ａ）に示すように、ページ（図ではＰａｇｅと表記）１、ページ２、ページ３、ページ４、ページ５の順で入力することになる。この場合、画像読取装置２００によって読み取られた５ページ分の原稿に対応する画像データは、図９（ｂ）に示すように、ページ１、ページ２、ページ３、ページ４、ページ５の順（入力順序と同じ順）に記憶部３３０に記憶される。
【００８４】
また、入力順序が逆順とは、複数（ｎ）のページの原稿の場合、ページ（ｎ）つまり最終ページ、ページ（ｎ−１）、・・・、ページ２、ページ１つまり先頭ページの順を意味する。
【００８５】
例えば、５ページ分の原稿を逆順で入力（挿入）する場合では、図１０（ａ）に示すように、ページ（図ではＰａｇｅと表記）５、ページ４、ページ３、ページ２、ページ１の順で入力することになる。この場合、画像読取装置２００によって読み取られた５ページ分の原稿に対応する画像データは、図１０（ｂ）に示すように、ページ５、ページ４、ページ３、ページ２、ページ１の順（入力順序と同じ順）に記憶部３３０に記憶される。
【００８６】
次に、ページ生成順序の決定について具体例を挙げて説明する。
【００８７】
（１）原稿が正順で入力される場合の出力先に応じたページ生成順序の決定
【００８８】
最初に、図９（ａ）に示すように原稿が正順で入力されるときに（入力順序が正順のときに）、出力先が記録媒体をフェイスアップで出力する場合、ページ生成順序は、図８のページ生成順序決定規則より符号３２２１で示される順序（ページ生成順序）となる。
【００８９】
この場合、記憶部３３０に記憶されている５ページ分の画像データは図９（ｂ）に示す内容になっているので、決定部３２２０は、図１１（ａ）に示すように、記憶部３３０からページ５、ページ４、ページ３、ページ２、ページ１の順（図９（ｂ）の記憶内容について最後の画像データから最初の画像データに向かう順序）に画像データを読み出す。すなわち、決定されたページ生成順序は、ページ５、ページ４、ページ３、ページ２、ページ１となる。
【００９０】
そして、このページ生成順序に従って画像データが画像出力装置４００に向けて出力され、フェイスアップで記録媒体を出力する出力先からは、図１１（ｂ）に示すように、フェイスアップの状態の記録媒体がページ５、ページ４、ページ３、ページ２、ページ１の順に出力される。
【００９１】
次に、図９（ａ）に示すように原稿が正順で入力されるときに（入力順序が正順のときに）、出力先が記録媒体をフェイスダウンで出力する場合、ページ生成順序は、図８のページ生成順序決定規則より符号３２２２で示される順序（ページ生成順序）となる。
【００９２】
この場合、記憶部３３０に記憶されている５ページ分の画像データは図９（ｂ）に示す内容になっているので、決定部３２２０は、図１２（ａ）に示すように、記憶部３３０からページ１、ページ２、ページ３、ページ４、ページ５の順（図９（ｂ）の記憶内容について最初の画像データから最後の画像データに向かう順序）に画像データを読み出す。すなわち、決定されたページ生成順序は、ページ１、ページ２、ページ３、ページ４、ページ５となる。
【００９３】
（２）原稿が逆順で入力される場合の出力先に応じたページ生成順序の決定
【００９４】
最初に、図１０（ａ）に示すように原稿が逆順で入力されるときに（入力順序が逆順のときに）、出力先が記録媒体をフェイスアップで出力する場合、ページ生成順序は、図８のページ生成順序決定規則より符号３２２３で示される順序（ページ生成順序）となる。
【００９５】
この場合、記憶部３３０に記憶されている５ページ分の画像データは図１０（ｂ）に示す内容になっているので、決定部３２２０は、図１１（ａ）に示すように、記憶部３３０からページ５、ページ４、ページ３、ページ２、ページ１の順（図１０（ｂ）の記憶内容について最初の画像データから最後の画像データに向かう順序）に画像データを読み出す。すなわち、決定されたページ生成順序は、ページ５、ページ４、ページ３、ページ２、ページ１となる。
【００９６】
そして、このページ生成順序に従って画像データに対する画像形成処理が行われた場合に、フェイスアップで記録媒体を出力する出力先からは、図１１（ｂ）に示すように、フェイスアップの状態の記録媒体がページ５、ページ４、ページ３、ページ２、ページ１の順に出力される。
【００９７】
次に、図１０（ａ）に示すように原稿が逆順で入力されるときに（入力順序が逆順のときに）、出力先が記録媒体をフェイスダウンで出力する場合、ページ生成順序は、図８のページ生成順序決定規則より符号３２２４で示される順序（ページ生成順序）となる。
【００９８】
この場合、記憶部３３０に記憶されている５ページ分の画像データは図１０（ｂ）に示す内容になっているので、決定部３２２０は、図１２（ａ）に示すように、記憶部３３０からページ１、ページ２、ページ３、ページ４、ページ５の順（図１０（ｂ）の記憶内容について最後の画像データから最初の画像データに向かう順序）に画像データを読み出す。すなわち、決定されたページ生成順序は、ページ１、ページ２、ページ３、ページ４、ページ５となる。
【００９９】
そして、このページ生成順序に従って画像データに対する画像形成処理が行われた場合に、フェイスダウンで記録媒体を出力する出力先からは、図１２（ｂ）に示すように、フェイスダウンの状態の記録媒体がページ１、ページ２、ページ３、ページ４、ページ５の順に出力される。
【０１００】
上述したように、決定部３２２０は、原稿の入力順序が正順あるいは逆順の何れの場合においても、出力先での記録媒体の出力形態が、記録媒体をフェイスアップで出力する出力形態のときは、最終のページから画像形成されるよう制御（ページ生成順序を決定）し、一方、決定部３２２０は、記録媒体をフェイスダウンで出力する出力形態のときは、先頭のページから画像形成されるよう制御（ページ生成順序を決定）する。
【０１０１】
上記前者は、符号３２２１で示されるページ生成順序、あるいは符号３２２３で示されるページ生成順序に相当する。また、上記前者の場合、上記例ではページ５、ページ４、ページ３、ページ２、ページ１の順のページ生成順序つまり記録媒体の出力順序となる（図１１（ｂ）参照）。
【０１０２】
一方、上記後者は、符号３２２２で示されるページ生成順序、あるいは符号３２２４で示されるページ生成順序に相当する。また、上記後者の場合、上記例ではページ１、ページ２、ページ３、ページ４、ページ５の順のページ生成順序つまり記録媒体の出力順序となる（図１２（ｂ）参照）。
【０１０３】
次に、画像形成システムによる画像形成処理について、図１３を参照して説明する。
【０１０４】
ユーザは、操作パネル１００を操作して、操作パネル１００に表示される「コピー」や「スキャン」など複数の機能を示すメニューの中から「コピー」機能を選択する。
【０１０５】
この「コピー」機能が選択されると、「仕分け設定画面」、「紙折り設定画面」、「排出方向切換え設定画面」など各種のパラメータを設定するための設定画面に対応する複数の設定画面項目が操作パネル制御部３１０の制御により操作パネル１００に表示されるので、ユーザは、その複数の設定画面項目の中から「仕分け設定画面」項目を選択する。
【０１０６】
この「仕分け設定画面」項目が選択されると、操作パネル制御部３１０の制御により仕分け設定画面が操作パネル１００に表示されるので、ユーザは、図２（ａ）に示すように、その仕分け設定画面に対し、例えば、仕分け方法として「ソート」を設定（指定）し、原稿順として「逆順」を設定（指定）し、さらにボタン「閉じる」を選択する。
【０１０７】
次に、ユーザが操作パネル１００に表示されている複数の設定画面項目の中から「紙折り設定画面」項目を選択すると、操作パネル制御部３１０の制御により紙折り設定画面が操作パネル１００に表示されるので、ユーザは、図３（ｂ）に示すように、その紙折り設定画面に対し、例えば、紙折り「しない」を設定（指定）し、その後、ボタン「閉じる」を選択する。
【０１０８】
上述したようにして図２（ａ）に示す仕分け設定画面に対して設定された設定内容（パラメータ）および図３（ｂ）に示す紙折り設定画面に対して設定された設定内容（パラメータ）は、操作パネル制御部３１０を介してジョブ制御部３２０に与えられる。
【０１０９】
なお、上述した設定内容を受け取ったジョブ制御部３２０では、決定部３２２０は、紙折り設定画面に対応して紙折りしない旨（紙折り「しない」）が設定されている場合には、出力先は折り装置２０であって記録媒体出力部２２であると認識し、一方、紙折り設定画面に対応して紙折りありの旨（「ファン」や「クロス」など）が設定されている場合は、出力先は折り装置２０であって記録媒体出力部２３であると認識する。
【０１１０】
また、決定部３２２０は、記録媒体出力部２２での記録媒体の出力形態としての画像形成面の向きはフェイスアップであり、記録媒体出力部２３での記録媒体の出力形態としての画像形成面の向きはフェイスダウンであると認識する。そのため、決定部３２２０は、紙折り設定画面に対応して設定されている設定内容が、紙折りしない旨（紙折り「しない」）の場合には、出力先は記録媒体をフェイスアップで出力し、一方、紙折りありの旨（「ファン」や「クロス」など）の場合は、出力先は記録媒体をフェイスダウンで出力する、ということを認識することになる。
【０１１１】
さて、ユーザは、例えばＡ０サイズの複数のページの原稿（原稿束）について、最後のページの原稿から順に、１枚の原稿毎に画像読取装置２００の原稿挿入口２０２に挿入し、原稿の読み取りを開始する旨を指示する（スタートボタンを押下する）。このスタートボタンが押下された旨は、操作パネル制御部３１０を介してジョブ制御部３２０に与えられる。
【０１１２】
例えば、Ａ０サイズの５枚の原稿をコピーする場合は、ページ５、ページ４、ページ３、ページ２、ページ１の順に、原稿を画像読取装置２００の原稿挿入口に挿入し、スタートボタンを押下する操作を５回繰り返すことになる。
【０１１３】
そして、ユーザは、全ての原稿についての読み取りのための操作が終了した場合、原稿終了を示す旨を指示する（原稿終了ボタンを押下する）。この原稿終了ボタンが押下された旨は、操作パネル制御部３１０を介してジョブ制御部３２０に与えられる。
【０１１４】
なお、ユーザは、原稿の表面（画像形成面）から見た場合、ページ１、ページ２、ページ３、ページ４、ページ５の順になっているＡ０サイズの５枚の原稿（原稿束）を、ページ１の表面が下になるように例えば作業台に準備する。
【０１１５】
そして、ユーザは、上記原稿束について、ページ５、ページ４、ページ３、ページ２、ページ１の順に、その原稿の表面の向きが下になるようにして画像読取装置２００の原稿挿入口２０２に挿入する。ユーザは、これらの原稿に対応する画像形成処理後の記録媒体の出力順序が、記録媒体の表面（画像形成面）から見た場合、ページ１、ページ２、ページ３、ページ４、ページ５の順になることを意図している。
【０１１６】
ところで、コントローラ３００では、操作パネル制御部３１０は、操作パネル１００からの仕分け設定画面に対して設定された設定内容（パラメータ）および紙折り設定画面に対して設定された設定内容（パラメータ）を受け付けると、これらの設定内容をジョブ制御部３２０へ出力する。
【０１１７】
ジョブ制御部３２０では、取得部３２１０は、上記仕分け設定画面に対して設定された設定内容（入力順序情報）を取得するとともに（ステップＳ１０１）、上記紙折り設定画面に対して設定された設定内容（出力先情報）を取得す（ステップＳ１０２）、これら取得した各情報を決定部３２２０へ出力する。
【０１１８】
ステップＳ１０２おいては、この例では、出力先は折り装置２０となるものの、図３（ｂ）に示すように紙折り「しない」が設定されているので、実際の出力先は折り装置２０の記録媒体出力部２２（図７参照）となる。
【０１１９】
画像読取装置２００は、スタートボタンが押下された旨に起因するジョブ制御部３２０の制御に従って、１枚の原稿毎に手差し挿入された原稿に対する原稿画像の読み取り処理を実行する（ステップＳ１０３）。
【０１２０】
すなわち、画像読取装置２００は、手差し挿入された原稿を、原稿搬送ローラ２１０を回転することにより原稿挿入方向２０１Ａに搬送しながら画像読み取りセンサ２２０によって光学的に読み取るとともに、この読み取りの結果（アナログの画像データ）に対応する画像データ（デジタルの画像データ）を生成し、この画像データをコントローラ３００へ出力する。
【０１２１】
コントローラ３００では、ジョブ制御部３２０は、画像読取装置２００からの画像データを取得して記憶部３３０に格納し（ステップＳ１０４）、その後、操作パネル制御部３１０を介して、操作パネル１００からの原稿終了ボタンが押下されたことに起因する原稿終了を示す旨を取得した否かを判断する（ステップＳ１０５）。
【０１２２】
ステップＳ１０５において、ジョブ制御部３２０によって原稿終了を示す旨を取得していないと判断された場合は、ステップＳ１０３へ移行する。この場合、次の原稿に対する読み取り処理が実行されることとなる。
【０１２３】
ジョブ制御部３２０が、ステップＳ１０５において、原稿終了を示す旨を取得したと判断したときは、ジョブ制御部３２０の決定部３２２０は、既に取得部３２１０から受け取っている入力順序情報および出力先情報を基にページ生成順序を決定する（ステップＳ１０６）。この場合、ページ生成順序規則情報（図８参照）に従ってページ生成順序が決定される。
【０１２４】
例えば、５枚分のＡ０サイズの原稿が逆順で画像読取装置２００に挿入され（図１０（ａ）参照）、画像読み取り処理が実行された場合、記憶部３３０には、図１０（ｂ）に示す記憶内容で５ページ分の原稿に対応する画像データが記憶されることになる。
【０１２５】
そして、決定部３２２０は、入力順序情報＝逆順と、出力先情報＝折り装置２０の記録媒体出力部２２つまり記録媒体出力部２２での記録媒体の出力形態としての画像形成面の向き＝フェイスアップとを基に、図８に示すページ生成順序規則情報に従って、ページ生成順序として符号３２２３で示される順序（ページ生成順序）を決定する。
【０１２６】
このようにして決定部３２２０によってページ生成順序が決定されると、ジョブ制御部３２０は、そのページ生成順序に従って記憶部３３０から画像データを読み出すとともに（ステップＳ１０７）、この読み出した画像データを画像出力装置４００へ出力する（ステップＳ１０８）。
【０１２７】
また、ジョブ制御部３２０は、画像出力装置４００に対し、出力先は折り装置２０であって「紙折りしない旨」を通知する。
【０１２８】
ところで、ステップＳ１０７においては、記憶部３３０からは、上記決定された符号３２２３で示される順序（ページ生成順序）に従って、図１１（ａ）に示すように、ページ５、ページ４、ページ３、ページ２、ページ１の順序で画像データが読み出される。
【０１２９】
画像出力装置４００では、例えばロール紙供給部４３２がロール紙を画像形成部４１０に向けて供給し、カッター４４２がその供給されるロール紙を例えばＡ０サイズの記録媒体になるよう切断し、さらに用紙搬送ローラ４５２がこのＡ０サイズの記録媒体（切断後のロール紙）を画像形成部４１０に向けて搬送すると、画像形成部４１０は、コントローラ３００からの画像データに基づき、搬送されてきた記録媒体に画像を形成する（ステップＳ１０９）。
【０１３０】
また、画像出力装置４００は、折り装置２０に対し、コントローラ３００のジョブ制御部３２０から通知された「紙折りしない旨」を通知する。
【０１３１】
画像形成部４１０によって画像が形成され定着が実施された記録媒体は、画像出力装置４００の記録媒体出力部４２０からフェイスアップの状態で出力され、折り装置２０に向けて搬送される。
【０１３２】
折り装置２０は、画像出力装置４００から通知された「紙折りしない旨」を基に、画像出力装置４００から搬送されてくる記録媒体を、紙折りしないでフェイスアップの状態で記録媒体出力部２２から出力する（ステップＳ１１０）。
【０１３３】
このようにして記録媒体を出力した折り装置２０が、記録媒体の出力処理を正常終了した旨を画像出力装置４００へ通知すると、画像出力装置４００は、折り装置２０からの出力処理を正常終了した旨の通知を受けて、画像形成処理を正常終了した旨をコントローラ３００のジョブ制御部３２０へ通知する。
【０１３４】
上記画像形成処理を正常終了した旨の通知を受け付けたジョブ制御部３２０は、記憶部３３０に記憶されている複数のページに対応する複数の画像データの中に、次の画像形成対象の画像データが存在するか否かを判断する（ステップＳ１１１）。
【０１３５】
ジョブ制御部３２０は、ステップＳ１１１において、次の画像形成対象の画像データが存在すると判断した場合にはステップＳ１０７に戻り、一方、次の画像形成対象の画像データが存在しないと判断した場合、つまり全ての画像データについて読み出し処理を実施したと判断した場合は、この処理を終了する。
【０１３６】
そして、図１１（ａ）に示すように、記憶部３３０から、ページ５、ページ４、ページ３、ページ２、ページ１の順序で画像データの読み出し処理が実行され、これらの画像データを基に画像形成処理が実行され、さらに画像形成処理後の記録媒体が折り装置２０の記録媒体出力部２２から出力された場合、５ページ分の記録媒体は、図１１（ｂ）に示すように、ページ５、ページ４、ページ３、ページ２、ページ１の順序で、フェイスアップの状態で出力されていることになる。
【０１３７】
その結果、出力された５枚分の記録媒体は、その記録媒体を表面（画像形成面）の方向から見た場合にページ１、ページ２、ページ３、ページ４、ページ５の順で出力され、ユーザの意図した出力順序になっている。
【０１３８】
以上の説明は紙折りしない場合についての画像形成処理および出力処理についてであったが、次に紙折りありの場合についての画像形成処理および出力処理について説明する。
【０１３９】
ユーザは、上述したように操作パネル１００に表示された仕分け設定画面に対し例えば仕分け方法として「ソート」を設定（指定）し、原稿順として「逆順」を設定（指定）し、さらにボタン「閉じる」を選択する（図２（ａ）参照）。
【０１４０】
また、ユーザは、図３（ａ）に示すように、操作パネル１００に表示された紙折り設定画面に対し、例えば紙折り「ファン」を設定（指定）し、さらに「単方向」、「耳折り」、「とじしろ」の各項目をチェックし、その後、ボタン「閉じる」を選択する。
【０１４１】
上述したようにして図２（ａ）に示す仕分け設定画面に対する設定内容および図３（ａ）に示す紙折り設定画面に対する設定内容は、コントローラ３００の操作パネル制御部３１０を介してジョブ制御部３２０に与えられる。
【０１４２】
さらに、ユーザは、例えばＡ０サイズの５枚の原稿（原稿束）について、最後のページの原稿から順に、１枚の原稿毎に画像読取装置２００の原稿挿入口２０２に挿入し、原稿の読み取りを開始する旨を指示する（スタートボタンを押下する）。
【０１４３】
そして、ステップＳ１０１〜Ｓ１０５の処理が実施され、ステップＳ１０５「ＹＥＳ（肯定）」のときは、コントローラ３００の記憶部３３０には、紙折りしない場合と同様に、ページ５、ページ４、ページ３、ページ３、ページ１に順に画像データが記憶される（図１０（ｂ）参照）。
【０１４４】
ステップＳ１０６では、コントローラ３００のジョブ制御部３２０の決定部３２２０は、入力順序情報＝逆順と、出力先情報＝折り装置２０の記録媒体出力部２３つまり記録媒体出力部２３での記録媒体の出力形態としての画像形成面の向き＝フェイスダウンとを基に、図８に示すページ生成順序規則情報に従って、ページ生成順序として符号３２２４で示される順序（ページ生成順序）を決定する。
【０１４５】
ステップＳ１０７では、記憶部３３０からは、上記決定された符号３２２４で示される順序（ページ生成順序）に従って、図１２（ａ）に示すように、ページ１、ページ２、ページ３、ページ４、ページ５の順序で画像データが読み出される。
【０１４６】
ステップＳ１０８〜Ｓ１０９では、記憶部３３０から上記決定されたページ生成順序に従って読み出された画像データは、画像出力装置４００に向けて出力され、さらに画像形成部４１０によって画像形成処理が実行される。
【０１４７】
なお、画像出力装置４００は、コントローラ３００のジョブ制御部３２０から通知された通知内容を受け取ると、折り装置２０に対し「紙折り＝ファン（ファン折り）、単方向、耳折り、とじしろ」を通知する。
【０１４８】
画像形成部４１０によって画像が形成され定着が実施された記録媒体は、画像出力装置４００の記録媒体出力部４２０からフェイスアップの状態で出力され、折り装置２０に向けて搬送される。
【０１４９】
ステップＳ１１０では、折り装置２０は、画像出力装置４００から搬送されてくる記録媒体に対し紙折り処理を実行し、この紙折り処理後の記録媒体を、フェイスダウンの状態で記録媒体出力部２２から出力する。
【０１５０】
そして、図１２（ａ）に示すように、記憶部３３０から、ページ１、ページ２、ページ３、ページ４、ページ５の順序で画像データの読み出し処理が実行され、これらの画像データを基に画像形成処理が実行され、さらに画像形成処理後の記録媒体が折り装置２０の記録媒体出力部２３から出力された場合、５ページ分の記録媒体は、図１２（ｂ）に示すように、ページ１、ページ２、ページ３、ページ４、ページ５の順序で、フェイスダウンの状態で出力されていることになる。
【０１５１】
その結果、出力された５枚分の記録媒体は、その記録媒体を表面（画像形成面）の方向から見た場合にページ１、ページ２、ページ３、ページ４、ページ５の順で出力され、ユーザの意図した出力順序（ページ１、ページ２、ページ３、ページ４、ページ５の順序）になっている。
【０１５２】
ちなみに、上述した例の場合（入力順序＝逆順、紙折りあり＝出力先ではフェイスダウンで出力する場合）において、第１の実施の形態の構成を採用しない画像形成装置では、ページ５、ページ４、ページ３、ページ２、ページ１に順に画像データを記憶するとともに、これらのページ順に従って画像データを読み出して画像形成処理を実施する。
【０１５３】
この画像形成処理後の記録媒体は、折り装置によって、紙折り処理が施された後、フェイスダウンの状態で出力される。この場合、５ページ分の記録媒体は、ページ５、ページ４、ページ３、ページ２、ページ１の順序で、フェイスダウンの状態で出力されていることになる。
【０１５４】
その結果、出力された５枚分の記録媒体は、その記録媒体を表面（画像形成面）の方向から見た場合にページ５、ページ４、ページ３、ページ２、ページ１の順で出力され、ユーザの意図した出力順序（ページ１、ページ２、ページ３、ページ４、ページ５の順序）とは異なる順で出力されることになる。
【０１５５】
以上説明したように、第１の実施の形態では、ユーザの意図した出力順序で複数の記録媒体が出力される。
【０１５６】
また、出力される記録媒体の画像形成面の向きが上向きあるいは下向きの何れの場合であっても、ユーザの意図した出力順序で複数の記録媒体が出力される。
【０１５７】
また、指定される出力先から出力される記録媒体の画像形成面の向きが上向きあるいは下向きの何れの場合であっても、ユーザの意図した出力順序で複数の記録媒体が出力される。
【０１５８】
さらに、後処理装置から出力される後処理後の複数の記録媒体に関してユーザの意図した出力順序で出力される。
【０１５９】
（第２の実施の形態）
【０１６０】
次に、第２の実施の形態に係わる画像形成システムの概略の構成について、図１４を参照して説明する。
【０１６１】
図１４に示す画像形成システム２は、画像形成装置１０と用紙搬送方向切換え装置３０とを備えている。
【０１６２】
この画像形成システム２は、図１に示した第１の実施の形態の画像形成システムにおいて、折り装置２０を削除し用紙搬送方向切換え装置３０を追加した構成になっている。
【０１６３】
そのため、画像形成装置１０つまり操作パネル１００、画像読取装置２００、コントローラ３００および画像形成装置４００は、それぞれ第１の実施の形態の場合と同様の構成および機能を有している。
【０１６４】
用紙搬送方向切換え装置３０は、図１４に示すように、Ｌ字型の構造を有しており、画像形成装置本体５００の画像出力装置４００の記録媒体出力部４２０から出力された記録媒体を受け入れる記録媒体受入口３１、記録媒体受入口３１が受け入れた記録媒体を出力する記録媒体出力部３２，３３を備えている。なお、記録媒体出力部３２，３３は、出力手段の機能を果たす。
【０１６５】
操作パネル１００に表示される排出方向切換え設定画面に対し、ユーザによって用紙の排出方向として「後方排出」が指定（設定）された場合（図４（ｂ）参照）、記録媒体受入口３１が受け入れた記録媒体は、図１５に示すように、用紙搬送ローラ３２Ａによって記録媒体出力部３２に向けて搬送され、記録媒体出力部３２からフェイスアップの状態で出力されるようになっている。
【０１６６】
これに対し、操作パネル１００に表示された排出方向切換え設定画面に対し、ユーザによって用紙の排出方向として「前方排出」が指定（設定）された場合（図４（ａ）参照）、記録媒体受入口３１が受け入れた記録媒体は、図１５に示すように、用紙搬送ローラ３３Ａ，３３Ｂによって記録媒体出力部３３に向けて搬送され、記録媒体出力部３３からフェイスダウンの状態で出力されるようになっている。
【０１６７】
なお、図１４に示す画像形成システム２を図中矢印２Ａの方向から見た様子（正面の様子）を図１６に示す。
【０１６８】
次に、画像形成システムによる画像形成処理について説明する。
【０１６９】
ユーザは、操作パネル１００に表示される「コピー」や「スキャン」など複数の機能を示すメニューの中から「コピー」機能を選択する。
【０１７０】
この「コピー」機能が選択されると、第１の実施の形態で説明した複数の設定画面項目が操作パネル制御部３１０の制御により操作パネル１００に表示されるので、ユーザは、その複数の設定画面項目の中から「仕分け設定画面」項目を選択する。
【０１７１】
この「仕分け設定画面」項目が選択されると、操作パネル制御部３１０の制御により仕分け設定画面が操作パネル１００に表示されるので、ユーザは、図２（ａ）に示すように、その仕分け設定画面に対し、例えば仕分け方法として「ソート」を設定（指定）し、原稿順として「逆順」を設定（指定）し、さらにボタン「閉じる」を選択する。
【０１７２】
次に、操作パネル１００に表示されている複数の設定画面項目の中から「排出方向切換え設定画面」項目を選択する。
【０１７３】
この「排出方向切換え設定画面」目が選択されると、操作パネル制御部３１０の制御により排出方向切換え設定画面が操作パネル１００に表示されるので、ユーザは、図４（ｂ）に示すように、その排出方向切換え設定画面に対し、例えば「後方排出」を設定（指定）し、その後、ボタン「閉じる」を選択する。
【０１７４】
上述したようにして図２（ａ）に示す仕分け設定画面に対して設定された設定内容（パラメータ）および図４（ｂ）に示す排出方向切換え設定画面に対して設定された設定内容（パラメータ）は、操作パネル制御部３１０を介してジョブ制御部３２０に与えられる。
【０１７５】
なお、上述した設定内容を受け取ったジョブ制御部３２０では、決定部３２２０は、排出方向切換え設定画面に対応して後方排出が設定されている場合には、出力先は用紙搬送方向切換え装置３０であって記録媒体出力部３２であると認識し、一方、排出方向切換え設定画面に対応して前方排出が設定されている場合は、出力先は用紙搬送方向切換え装置３０であって記録媒体出力部３３であると認識する。
【０１７６】
また、決定部３２２０は、記録媒体出力部３２での記録媒体の出力形態としての画像形成面の向きはフェイスアップであり、記録媒体出力部３３での記録媒体の出力形態としての画像形成面の向きはフェイスダウンであると認識する。そのため、決定部３２２０は、排出方向切換え設定画面に対応して設定されている設定内容が、後方排出の場合には、出力先は記録媒体をフェイスアップで出力し、一方、前方排出の場合は、出力先は記録媒体をフェイスダウンで出力する、ということを認識することになる。
【０１７７】
さて、ユーザは、例えばＡ０サイズの複数のページの原稿（原稿束）について、最後のページの原稿から順に、１枚の原稿毎に画像読取装置２００の原稿挿入口２０２に挿入し、原稿の読み取りを開始する旨を指示する（スタートボタンを押下する）。
【０１７８】
これ以降の処理は上述した第１の実施の形態の場合と同様である。すなわち、図１３に示した画像形成処理（ステップＳ１０１〜Ｓ１１０）が実行される。
【０１７９】
ただし、ステップＳ１０１〜Ｓ１０５の処理が実施され、ステップＳ１０５「ＹＥＳ（肯定）」のときは、コントローラ３００の記憶部３３０には、ページ５、ページ４、ページ３、ページ３、ページ１に順に画像データが記憶されている（図１０（ｂ）参照）。
【０１８０】
ステップＳ１０６では、決定部３２２０は、入力順序情報＝逆順と、出力先情報＝用紙搬送方向切換え装置３０の記録媒体出力部３２つまり記録媒体出力部３２での記録媒体の出力形態としての画像形成面の向き＝フェイスアップとを基に、図８に示すページ生成順序規則情報に従って、ページ生成順序として符号３２２３で示される順序（ページ生成順序）を決定する。
【０１８１】
そのため、ステップＳ１０７においては、記憶部３３０からは、上記決定された符号３２２３で示される順序（ページ生成順序）に従って、図１１（ａ）に示すように、ページ５、ページ４、ページ３、ページ２、ページ１の順序で画像データが読み出される。
【０１８２】
ステップＳ１０８〜Ｓ１０９では、記憶部３３０から上記決定されたページ生成順序に従って読み出された画像データは、画像出力装置４００に向けて出力され、さらに画像形成部４１０によって画像形成処理が実行される。
【０１８３】
なお、画像出力装置４００は、コントローラ３００のジョブ制御部３２０から通知された通知内容を受け取ると、用紙搬送方向切換え装置３０に対し「後方排出」を通知する。
【０１８４】
画像形成部４１０によって画像が形成され定着が実施された記録媒体は、画像出力装置４００の記録媒体出力部４２０からフェイスアップの状態で出力され、用紙搬送方向切換え装置３０に向けて搬送される。
【０１８５】
ステップＳ１１０では、用紙搬送方向切換え装置３０は、画像出力装置４００から搬送されてくる記録媒体を、フェイスアップの状態で記録媒体出力部３２から出力する。
【０１８６】
以上説明したように、図１１（ａ）に示すように、記憶部３３０から、ページ５、ページ４、ページ３、ページ２、ページ１の順序で画像データの読み出し処理が実行され、これらの画像データを基に画像形成処理が実行され、さらに画像形成処理後の記録媒体が用紙搬送方向切換え装置３０の記録媒体出力部３２から出力された場合、５ページ分の記録媒体は、図１１（ｂ）に示すように、ページ５、ページ４、ページ３、ページ２、ページ１の順序で、フェイスアップの状態で出力されていることになる。
【０１８７】
その結果、出力された５枚分の記録媒体は、その記録媒体を表面（画像形成面）の方向から見た場合にページ１、ページ２、ページ３、ページ４、ページ５の順で出力され、ユーザの意図した出力順序になっている。
【０１８８】
以上の説明は後方排出の場合についての画像形成処理および出力処理についてであったが、次に前方排出の場合についての画像形成処理および出力処理について説明する。
【０１８９】
ユーザは、上述したように操作パネル１００に表示された仕分け設定画面に対し例えば仕分け方法として「ソート」を設定（指定）し、原稿順として「逆順」を設定（指定）し、さらにボタン「閉じる」を選択する（図２（ａ）参照）。
【０１９０】
また、ユーザは、図４（ａ）に示すように、操作パネル１００に表示された紙折り設定画面に対し「前方排出」を設定（指定）し、その後、ボタン「閉じる」を選択する。
【０１９１】
上述したようにして図２（ａ）に示す仕分け設定画面に対する設定内容および図４（ａ）に示す紙折り設定画面に対する設定内容は、コントローラ３００の操作パネル制御部３１０を介してジョブ制御部３２０に与えられる。
【０１９２】
さらに、ユーザは、例えばＡ０サイズの５枚の原稿（原稿束）について、最後のページの原稿から順に、１枚の原稿毎に画像読取装置２００の原稿挿入口２０２に挿入し、原稿の読み取りを開始する旨を指示する（スタートボタンを押下する）。
【０１９３】
そして、ステップＳ１０１〜Ｓ１０５の処理が実施され、ステップＳ１０５「ＹＥＳ（肯定）」のときは、コントローラ３００の記憶部３３０には、ページ５、ページ４、ページ３、ページ３、ページ１に順に画像データが記憶されている（図１０（ｂ）参照）。
【０１９４】
ステップＳ１０６では、コントローラ３００のジョブ制御部３２０の決定部３２２０は、入力順序情報＝逆順と、出力先情報＝用紙搬送方向切換え装置３０の記録媒体出力部３３つまり記録媒体出力部３３での記録媒体の出力形態としての画像形成面の向き＝フェイスダウンとを基に、図８に示すページ生成順序規則情報に従って、ページ生成順序として符号３２２４で示される順序（ページ生成順序）を決定する。
【０１９５】
ステップＳ１０７では、記憶部３３０からは、上記決定された符号３２２４で示される順序（ページ生成順序）に従って、図１２（ａ）に示すように、ページ１、ページ２、ページ３、ページ４、ページ５の順序で画像データが読み出される。
【０１９６】
ステップＳ１０８〜Ｓ１０９では、記憶部３３０から上記決定されたページ生成順序に従って読み出された画像データは、画像出力装置４００に向けて出力され、さらに画像形成部４１０によって画像形成処理が実行される。
【０１９７】
なお、画像出力装置４００は、コントローラ３００のジョブ制御部３２０から通知された通知内容を受け取ると、用紙搬送方向切換え装置３０に対し「前方排出」を通知する。
【０１９８】
画像形成部４１０によって画像が形成され定着が実施された記録媒体は、画像出力装置４００の記録媒体出力部４２０からフェイスアップの状態で出力され、用紙搬送方向切換え装置３０に向けて搬送される。
【０１９９】
ステップＳ１１０では、用紙搬送方向切換え装置３０は、画像出力装置４００から搬送されてくる記録媒体を、フェイスダウンの状態で記録媒体出力部３３から出力する。
【０２００】
以上説明したように、図１２（ａ）に示すように、記憶部３３０から、ページ１、ページ２、ページ３、ページ４、ページ５の順序で画像データの読み出し処理が実行され、これらの画像データを基に画像形成処理が実行され、さらに画像形成処理後の記録媒体が用紙搬送方向切換え装置３０の記録媒体出力部３３から出力された場合、５ページ分の記録媒体は、図１２（ｂ）に示すように、ページ１、ページ２、ページ３、ページ４、ページ５の順序で、フェイスダウンの状態で出力されていることになる。
【０２０１】
その結果、出力された５枚分の記録媒体は、その記録媒体を表面（画像形成面）の方向から見た場合にページ１、ページ２、ページ３、ページ４、ページ５の順で出力され、ユーザの意図した出力順序（ページ１、ページ２、ページ３、ページ４、ページ５の順序）になっている。
【０２０２】
ところで、用紙搬送方向切換え装置３０を画像形成装置本体５００に接続しないで画像形成装置１０のみで使用する場合、画像形成装置１０は、記録媒体出力部４２０から記録媒体をフェイスアップの状態で出力することになる（用紙搬送方向切換え装置３０での後方排出の場合に相当）。この場合、画像形成装置本体５００に、記録媒体出力部４２０から出力される記録媒体を収容する収容部（トレイなど）を設けるようにする。
【０２０３】
（第３の実施の形態）
【０２０４】
第３の実施の形態に係わる画像形成システムは、図１に示した第１の実施の形態の画像形成システムのコントローラ３００を図１７に示すコントローラ３００Ａに変更した構成になっている。
【０２０５】
コントローラ３００Ａは、図１に示したコントローラ３００においてジョブメモリ記憶部３６０を追加した構成になっている。
【０２０６】
ジョブメモリ記憶部３６０は、操作パネル１００によって設定されたジョブパラメータをジョブメモリとして記憶する。このジョブメモリとジョブパラメータとは関連付けられて記憶される。
【０２０７】
ジョブパラメータとは、複数のページの原稿に対応して設定され、配布先毎のジョブに関するパラメータのことである。
【０２０８】
ユーザは操作パネル１００を操作することにより、少なくとも、上述した入力順序情報、配布先毎に記録媒体の出力先を示す出力先情報および上記複数のページの原稿にかかわる画像形成すべき部数を示す部数情報を設定する。
【０２０９】
ここで、複数の配布先が指定された場合は、複数の出力先情報および出力先毎の部数情報が設定されることになる。
【０２１０】
入力順序情報は、上述した正順または逆順である。
【０２１１】
複数の出力先情報は、折り装置２０が画像形成装置１０（の画像形成装置本体５００）に接続されている場合では、紙折りしない旨および紙折りありの旨である。すなわち、この場合の複数の出力先は、紙折りしない旨に対応して記録媒体をフェイスアップで出力する記録媒体出力部２２、および紙折りありの旨に対応して紙折り後の記録媒体をフェイスダウンで出力する記録媒体出力部２３となる（図７参照）。
【０２１２】
部数情報は、折り装置２０が画像形成装置１０（の画像形成装置本体５００）に接続されている場合では、例えば、紙折りありの旨に対応して設定される２部数、紙折りしない旨に対応して設定される３部数など、紙折りしない旨および紙折りありの旨の場合の出力先毎に対応して設定される１部数以上の部数である。
【０２１３】
ちなみに、折り装置２０に代替して用紙搬送方向切換え装置３０が画像形成装置１０（の画像形成装置本体５００）に接続されている場合においては、複数の出力先情報は、後方排出および前方排出である。すなわち、この場合の複数の出力先は、後方排出に対応して記録媒体をフェイスアップで出力する記録媒体出力部３２、および前方排出に対応して記録媒体をフェイスダウンで出力する記録媒体出力部３３となる（図１４参照）。
【０２１４】
また、部数情報は、後方排出に対応して設定される５部数、前方排出に対応して設定される７部数など、後方排出および前方排出の場合の出力先毎に対応して設定される１部数以上の部数である。
【０２１５】
第３の実施の形態では、複数のページの原稿に対応して複数の配布先が指定される場合の画像形成処理すなわちマルチジョブソートに基づき画像形成処理を実行することを想定している。マルチジョブソートでは、原稿一組を単位として配付先ごとのコピー部数、倍率指定、オプションの電子スタンプや紙折りの有無などを設定してソート出力し得る。
【０２１６】
また、第３の実施の形態では、配布先毎に、出力先情報、部数情報および原稿に対応する画像（元画像）に対する倍率情報が配布先情報として設定されるようになっている。この配布先情報はジョブパラメータを意味し、最終的にジョブメモリとしてジョブメモリ記憶部３６０に登録されるようになっている。
【０２１７】
そのため、操作パネル制御部３１０は、操作パネル１００によって設定された入力順序情報、複数の配布先に対応する複数の配布先情報（出力先情報、部数情報、および倍率情報）を受け付けるとともに、これら受け付けた情報のうち、入力順序情報はジョブ制御部３２０へ出力し、一方、複数の配布先情報については、配布先毎の配布先情報（出力先情報、部数情報、および倍率情報）つまりジョブパラメータをジョブメモリとしてジョブメモリ記憶部３６０に登録する。
【０２１８】
ジョブ制御部３２０では、取得部３２１０は、操作パネル制御部３１０からの入力順序情報を取得するとともに、ジョブメモリ記憶部３６０から複数のジョブメモリ（ジョブパラメータ）すなわち配布先毎に出力先情報、部数情報、および倍率情報を取得する。
【０２１９】
すなわち、第３の実施の形態では、コントローラ３００Ａのジョブ制御部３２０において、取得部３２１０は、上記入力順序情報、配布先毎の配布先情報（上記出力先情報、上記部数情報および倍率情報）を取得し、これらの情報を上位のジョブ制御部３２０に渡す。
【０２２０】
取得部３２１０から上記各情報を渡されたジョブ制御部３２０は、画像読取装置２００に対し、倍率情報を出力して、その倍率情報に応じた画像データ（原稿イメージ）を生成するよう制御する。
【０２２１】
また、ジョブ制御部３２０は、取得部３２１０からの上記入力順序情報、配布先毎の配布先情報（上記出力先情報、上記部数情報および倍率情報）と、圧縮伸長部３５０から通知される蓄積した画像データ（圧縮イメージ）に関する情報とを基に、後述するマルチジョブソートページ生成情報（図２２参照）を生成し、記憶部３３０に格納する。
【０２２２】
決定部３２２０は、記憶部３３０に記憶されている後述するマルチジョブソートページ生成情報を基にページ生成順序を決定する。この場合、決定部３２２０は、入力順序情報（原稿読み込み順序）と部数情報に基づく部数単位毎の出力先での記録媒体の出力形態として予め定められている記録媒体の画像形成面の向き（フェイスダウンあるいはフェイスアップ）とに基づき、当該部数単位毎の複数のページにかかわるページ生成順序を決定する。
【０２２３】
第３の実施の形態では、記憶部３３０には、原稿の画像データや入力情報を記憶する第１の記憶領域と、ページ生成順序決定規則を示す情報を予め記憶する第２の記憶領域と、後述するマルチジョブソートページ生成情報を記憶する第３の記憶領域とが割り当てられている。
【０２２４】
次に、マルチジョブソートにおけるジョブメモリへの設定と、マルチジョブソートの出力を行った場合の画像出力の概略について説明する、
【０２２５】
最初に、マルチジョブソートにおけるジョブメモリへの設定について説明する。
【０２２６】
ここでは、図１９（ａ）に示すようにＡ２サイズの原稿ＡとＡ３サイズの原稿Ｂの２枚の原稿の画像読み取り、画像出力について説明する。ここで、２枚の原稿束（原稿一組）を原稿セットと表記する。
【０２２７】
ユーザは、操作パネル１００を操作して使用する配布先情報（出力先情報、部数情報、および倍率情報）を設定する。例えば、ユーザは、図１８（ａ），（ｂ），（ｃ）に示すように、配布先１から配布先３に関する配布先情報を設定する。これらの設定情報は、操作パネル１００から操作パネル制御部３１０に与えられる。
【０２２８】
操作パネル制御部３１０は、設定情報を管理下にあるジョブメモリ記憶部３６０にジョブメモリとして登録する（セットする）。
【０２２９】
具体的には、ユーザによる操作パネル１００の操作により、配布先１に対応して、原稿セットを２部、画像を等倍出力で、等倍出力の画像が形成された記録媒体を折って出力する旨、すなわち「部数＝２」（部数情報）、「全て等倍」（倍率情報）、「折あり」（出力先情報）が設定された場合、操作パネル制御部３１０は、図１８（ａ）に示すように、ジョブメモリ記憶部３６０に登録されるジョブメモリ１に、「部数＝２」、「全て等倍」、「折あり」をセットする。
【０２３０】
また、ユーザによる操作パネル１００の操作により、配布先２に対応して、原稿セットを２部、画像をＡ４サイズに縮小しての出力（Ａ４縮小出力）で、Ａ４縮小出力の画像が形成された記録媒体を折らないで出力する旨、すなわち「部数＝２」（部数情報）、「全てＡ４出力」（倍率情報）、「折なし」（出力先情報）が設定された場合、操作パネル制御部３１０は、図１８（ｂ）に示すように、ジョブメモリ記憶部３６０に登録されるジョブメモリ２に、「部数＝２」、「全てＡ４出力」、「折なし」をセットする。
【０２３１】
さらに、ユーザによる操作パネル１００の操作により、配布先３に対応して、原稿セットを３部、画像を等倍出力で、等倍出力の画像に３番スタンプを合成し、合成後の画像が形成された記録媒体を折って出力する旨、すなわち「部数＝３」（部数情報）、「全て等倍」（倍率情報）、「スタンプ＝３番」、「折あり」（出力先情報）が設定された場合、操作パネル制御部３１０は、図１８（ｃ）に示すように、ジョブメモリ記憶部３６０に登録されるジョブメモリ３に、「部数＝３」、「全て等倍」、「スタンプ＝３番」、「折あり」をセットする。
【０２３２】
次に、図１９（ａ）に示す原稿セットについて原稿読み込み順序（原稿順）を「逆順」にして、原稿Ｂ、原稿Ａの順で画像読取装置２００に読み込ませて、マルチジョブソートの出力を行った場合の画像出力の概略について、図１９（ｂ），（ｃ），（ｄ）を参照して説明する。
【０２３３】
最初に、配布先１のものとして、図１９（ｂ）に示すように、原稿Ａおよび原稿Ｂのそれぞれに対応する等倍の画像を含むページ（記録媒体）が折られ、折られたページ（原稿Ｂに対応するページ、原稿Ａに対応するページ）が２部出力される。
【０２３４】
次に、配布先２のものとして、図１９（ｃ）に示すように、原稿Ａに対応する画像が５０％（Ａ４サイズ／Ａ２サイズの演算の結果）に縮小された画像を含むページ、および原稿Ｂに対応する画像が７０．７％（Ａ４サイズ／Ａ３サイズの演算の結果）に縮小された画像を含むページが折られずに３部出力される。
【０２３５】
最後に、配布先３のものとして、図１９（ｄ）に示すように、原稿Ａおよび原稿Ｂのそれぞれに対応する等倍の画像のそれぞれに３番スタンプが合成された画像を含むページが折られ、折られたページ（原稿Ｂに対応し３番スタンプが合成されたページ、原稿Ａに対応し３番スタンプが合成されたページ）が３部出力される。
【０２３６】
なお、上述した図１９（ｂ），（ｃ），（ｄ）のような画像出力の状態が得られる画像出力の詳細については後述する。
【０２３７】
次に、画像形成システムによる画像形成処理について、図２０を参照して説明する。
【０２３８】
ユーザは、操作パネル１００に表示される「コピー」や「スキャン」など複数の機能を示すメニューの中から「コピー」機能を選択する。
【０２３９】
この「コピー」機能が選択されると、複数の設定画面に対応する複数の設定画面項目が操作パネル１００に表示されるので、ユーザは、その複数の設定画面項目の中からマルチジョブメモリを設定するための設定画面（マルチジョブメモリ設定画面）に対応する設定画面項目を選択する。
【０２４０】
このようにして上記マルチジョブメモリ設定画面項目が設定されると、ジョブメモリ設定画面が操作パネル１００に表示されるので、ユーザは、そのジョブメモリ定画面に対し、例えば図１８（ａ），（ｂ），（ｃ）に示すような配布先情報を設定する。
【０２４１】
上述したようにして配布先情報が設定されると、原稿に関する入力順序（原稿読み込み順序）を設定するための設定画面（入力順序設定画面）が操作パネル１００に表示されるので、ユーザは、その入力順序設定画面に対し、例えば入力順序（原稿読み込み順序）として「逆順」を設定する。
【０２４２】
次に、ユーザは、例えばＡ２サイズの原稿ＡとＡ３サイズの原稿Ｂの原稿セットについて、原稿読み込み順序が「逆順」なので、画像読取装置２００の原稿挿入口２０２に原稿Ｂを挿入（手差し挿入）し、原稿の読み取りを開始する旨を指示する（スタートボタンを押下する）。
【０２４３】
続いて、ユーザは、画像読取装置２００が次の原稿の読み込みを行える状態になったら、画像読取装置２００の原稿挿入口２０２に原稿Ａを挿入（手差し挿入）し、原稿の読み取りを開始する旨を指示する（スタートボタンを押下する）。
【０２４４】
そして、ユーザは、この原稿Ａで原稿セットについての読み込み対象の原稿が終了した場合、操作パネル１００の原稿終了を示す旨を指示する（原稿終了ボタンを押下する）。
【０２４５】
以上でマルチジョブソートでの画像形成処理のためのユーザによる操作は終了する。
【０２４６】
ところで、上述したようにして設定されたジョブメモリ設定画面に対して設定された配布先情報（配布先１、配布先２および配布先３の各設定内容）、入力順序設定画面に対して設定された入力順序情報（原稿読み込み順＝逆順）は、操作パネル１００から操作パネル制御部３１０へ出力される。
【０２４７】
操作パネル制御部３１０は、ジョブメモリ設定画面に対して設定された配布先情報（配布先１、配布先２および配布先３の各設定内容）を基に、配布先１に関する設定内容、配布先２に関する設定内容、および配布先３に関する設定内容を、それぞれジョブメモリ１、ジョブメモリ２およびジョブメモリ３としてジョブメモリ記憶部３６０に登録する。
【０２４８】
また、操作パネル制御部３１０は、入力順序設定画面に対して設定された入力順序情報（原稿読み込み順＝逆順）についてはジョブ制御部３２０へ出力するとともに、ジョブメモリを登録した旨をジョブ制御部３２０へ通知する。
【０２４９】
ジョブ制御部３２０では、取得部３２１０は、操作パネル部３１０からの入力順序情報（原稿読み込み順＝逆順）を取得するとともに（ステップＳ２０１）、ジョブメモリ記憶部３６０からジョブメモリ（配布先情報）１，２，３を取得する（ステップＳ２０２）。
【０２５０】
また、取得部３２１０は、取得した入力順序情報（原稿読み込み順＝逆順）およびジョブメモリ（配布先情報）１，２，３を上位のジョブ制御部３２０に渡す。
【０２５１】
ジョブ制御部３２０は、取得部３２１０からの情報のうち配布先毎の倍率情報（等倍、Ａ３サイズをＡ４サイズで出力（縮小）する旨）を画像読取装置２００に通知する。
【０２５２】
ところで、ユーザがＡ３サイズの原稿Ｂを画像読取装置２００の原稿挿入口２０２に挿入しスタートボタンを押下した場合、画像読取装置２００は、ジョブ制御部３２０からの上記倍率情報を受け取るとともに、手差し挿入された原稿Ｂに対する原稿画像の読み取り処理を実行する（ステップＳ２０３）。
【０２５３】
すなわち、画像読取装置２００は、手差し挿入された原稿Ｂを、原稿搬送ローラ２１０を回転することにより原稿挿入方向２０１Ａに搬送しながら画像読み取りセンサ２２０によって光学的に読み取るとともに、この読み取りの結果（アナログの画像データ）に対応する画像データ（デジタルの画像データ）を生成する。
【０２５４】
画像データを生成するに際し、画像読取装置２００は、ジョブ制御部３２０からの倍率情報に基づき、原稿Ｂに対応する元画像が１００％の画像データ（原稿イメージ）を生成するとともに、原稿Ｂに対応する元画像が７０．７％（Ａ４サイズ／Ａ３サイズの演算の結果）に縮小された画像データ（原稿イメージ）を生成する。そして、これら生成した各画像データをコントローラ３００Ａへ出力する。
【０２５５】
コントローラ３００Ａでは、ジョブ制御部３２０が、画像読取装置２００からの画像データ（原稿イメージ）を取得するとともに取得した画像データを記憶部３３０に格納し、さらに圧縮伸長部３４０が、記憶部３３０に格納された前記画像データを圧縮して外部記憶装置３５０に蓄積する（ステップＳ２０４）。
【０２５６】
すなわち、コントローラ３００Ａでは、ジョブ制御部３２０は、画像読取装置２００からの元画像（原稿Ｂ）に対する倍率１００％の画像データ、および元画像（原稿Ｂ）に対する倍率７０．７％の画像データを記憶部３３０に格納し、その後、圧縮伸長部３４０に対し圧縮するよう制御する。
【０２５７】
圧縮伸長部３４０は、記憶部３３０に記憶されている上記２つの画像データ（原稿イメージ）をそれぞれ圧縮し、この圧縮した２つの画像データ（圧縮イメージ）を外部記憶装置３５０に蓄積する。また、圧縮伸長部３４０は、これら蓄積した画像データ（圧縮イメージ）に関する情報をジョブ制御部３２０へ通知する。
【０２５８】
この時点で、外部記憶装置３５０には、元画像（原稿Ｂ）に対する倍率１００％の画像データ（これを原稿Ｂイメージ１とする）と、元画像（原稿Ｂ）に対する倍率７０．７％の画像データ（これを原稿Ｂイメージ２とする）とが蓄積されていることになる。
【０２５９】
このようにして原稿Ｂイメージ１および原稿Ｂイメージ２が外部記憶装置３５０に蓄積された場合に、ジョブ制御部３２０は、操作パネル制御部３１０を介して、操作パネル１００からの原稿終了を示す旨（原稿終了ボタンが押下された旨）を取得したか否かを判断する（ステップＳ２０５）。
【０２６０】
ステップＳ２０５において、ジョブ制御部３２０によって原稿終了ボタンが押下された旨を取得しないと判断された場合は、ステップＳ２０３に移行される。
【０２６１】
ここで、ユーザが原稿Ｂに続いて、Ａ２サイズの原稿Ａを画像読取装置２００の原稿挿入口２０２に挿入しスタートボタンを押下した場合は、ステップＳ２０３，Ｓ２０４が実行される。
【０２６２】
すなわち、画像読取装置２００は、上述した原稿Ｂに対応する読み取り処理と同様の読み取り処理を実行して、原稿Ａに対応する画像データ（原稿イメージ）を生成する。
【０２６３】
この場合、画像データを生成するに際し、画像読取装置２００は、ジョブ制御部３２０からの倍率情報に基づき、原稿Ａに対応する元画像が１００％の画像データ（原稿イメージ）を生成するとともに、原稿Ａに対応する元画像が５０％（Ａ４サイズ／Ａ２サイズの演算の結果）に縮小された画像データ（原稿イメージ）を生成する。そして、これら生成した各画像データをコントローラ３００Ａへ出力する。
【０２６４】
画像読取装置２００から原稿Ａに対応する画像データ（原稿イメージ）を受け付けたコントローラ３００Ａは、上述した原稿Ｂに対応する画像データに対する蓄積処理と同様の蓄積処理を実行する。すなわち、圧縮伸長部３４０は、元画像（原稿Ａ）に対する倍率１００％の画像データ（これを原稿Ａイメージ１とする）と、元画像（原稿Ｂ）に対する倍率５０％の画像データ（これを原稿Ａイメージ２とする）とを外部記憶装置３５０に蓄積する。また、圧縮伸長部３４０は、これら蓄積した画像データ（圧縮イメージ）に関する情報をジョブ制御部３２０へ通知する。
【０２６５】
そして、ユーザによって読み込み対象の原稿が終了したので操作パネル１００の原稿終了ボタンが押下された場合、この原稿終了ボタンが押下された旨が、操作パネル制御部３１０を介してコントローラ３００Ａのジョブ制御部３２０に入力される。
【０２６６】
これにより、ジョブ制御部３２０は、ステップＳ２０５において、原稿終了ボタンが押下された旨を取得したと判断して原稿セットの入力が完了したことを認識する。
【０２６７】
ここで、原稿セットの入力が完了した時点で、外部記憶装置３５０には、図２１に示すように、原稿Ｂイメージ１、原稿Ｂイメージ２、原稿Ａイメージ１、原稿Ａイメージ２が蓄積されていることになる。
【０２６８】
また、ジョブ制御部３２０は、既に受け取っている取得部３２１０からの入力順序情報（原稿読み込み順＝逆順）およびジョブメモリ（配布先情報）１，２，３と、圧縮伸長部３５０から通知される蓄積した画像データ（圧縮イメージ）に関する情報とを基に、図２２に示すマルチジョブソートページ生成情報（テーブル情報）を生成し、記憶部３３０の第３の記憶領域に格納する。
【０２６９】
図２２に示す例は、先頭の原稿Ａおよび最終の原稿Ｂから構成される原稿セットの原稿の読み込み順序を逆順として、原稿Ｂ、原稿Ａの順に読み込みが行われたときのものである。
【０２７０】
なお、図２２において、「部番号」の項目は複数部数の連番を示す。この例では、配布先１に対応して２部、配布先２に対応して３部、配布先３に対応して３部の合計８部の部数であることが示されている。
【０２７１】
「排出面」の項目は記録媒体の画像形成面の向きつまりフェイスダウンまたはフェイスアップを示す。また「ｄｏｗｎ」はフェイスダウンを示し、「ｕｐ」はフェイスアップを示す。
【０２７２】
「出力パラメータ」の項目は紙折りの有無やスタンプ有りを示す。また、「折あり」は紙折りありを示し、「折なし」は紙折りなしを示し、「ｓｔａｍｐ（Ｎｏ３）」はスタンプ３番を示す。
【０２７３】
「原稿番号１」の項目は電子ソートされた場合の１番目の原稿（最初の原稿）を示す。また、「Ｂ−１」は原稿Ｂイメージ１を示し、「Ｂ−２」は原稿Ｂイメージ２を示す。
【０２７４】
「原稿番号２」の項目は電子ソートされた場合の２番目の原稿（この例では最後の原稿）を示す。また、「Ａ−１」は原稿Ａイメージ１を示し、「Ａ−２」は原稿Ａイメージ２を示す。
【０２７５】
上述したようなマルチジョブソートページ生成情報（テーブル情報）は、次の（１）〜（３）の各事項を意味している。
【０２７６】
（１）最初に、配布先１用に、原稿Ｂイメージ１に対応する記録媒体（ページ）を折りあり、原稿Ａイメージ１に対応する記録媒体を折ありで、フェイスダウンで２部ソート出力する。
【０２７７】
（２）次に、配布先２用に原稿Ｂイメージ２に対応する記録媒体を折りなし、原稿Ａイメージ２に対応する記録媒体を折なしで、フェイスアップで３部ソート出力する。
【０２７８】
（３）最後に、配布先３用に原稿Ｂイメージ１に対応する記録媒体を折りあり、原稿Ａイメージ１に対応する記録媒体を折ありで、フェイスダウンで３部ソート出力する。
【０２７９】
ところで、ジョブ制御部３２０が、ステップＳ２０５において、原稿終了ボタンが押下された旨を取得したと判断し、マルチジョブソートページ生成情報（テーブル情報）の生成を終了した場合、コントローラ３００Ａは、詳細については後述するマルチジョブソートページ生成処理（図２３参照）を実行する（ステップＳ２０６）。
【０２８０】
このマルチジョブソートページ生成処理においては、記憶部３３０に記憶されているマルチジョブソートページ生成情報が参照され、入力順序情報（画像読み取り順序）および配布先毎の出力先情報（フェイスアップまたはフェイスダウン）に基づくページ順序生成の決定と、そのページ生成順序に従ったページ（画像データ）の生成とが実行される。
【０２８１】
そして、ステップＳ２０６が終了した場合、図１３に示した第１の実施の形態の処理手順のステップＳ１０７〜Ｓ１１１の処理と同様の処理が実施される（ステップＳ２０７〜Ｓ２１１）。
【０２８２】
次に、コントローラによるマルチジョブソートページ生成処理について、図２３を参照して説明する。
【０２８３】
なお、上述したように先頭の原稿Ａおよび最終の原稿Ｂから構成される原稿セットの原稿読み込み順序は逆順であるので、原稿Ｂ、原稿Ａの順に読み込みが行われている。
【０２８４】
コントローラ３００Ａでは、ジョブ制御部３２０の決定部３２２０は、記憶部３３０に記憶されているマルチジョブソートページ生成情報（図２２参照）を参照し、部番号１の原稿開始番号と原稿終了番号を求める（ステップＳ３０１）。
【０２８５】
マルチジョブソートページ生成情報からは、原稿読み込み順序は逆順であり、「部番号」項目の部番号１にかかわる記録媒体の画像形成面の向きはフェイスダウン（排出面＝フェイスダウン）であり、原稿に対応する原稿イメージ（画像データ）が電子ソートされている順番は原稿番号１、原稿番号２の順であることが分かる。
【０２８６】
そのため、決定部３２２０は、これらの内容と図８に示したページ生成順序決定規則情報とを基に、部番号１にかかわるページ生成順序として、ページ符号３２２４で示される順序（ページ生成順序）を決定する。すなわち、決定部３２２０は、原稿開始番号は原稿番号２、原稿終了番号は原稿番号１とする。
【０２８７】
このようにしてページ生成順序が決定されると、ジョブ制御部３２０は、圧縮伸長部３４０に対し、原稿開始番号＝原稿番号２＝原稿Ａイメージ１、原稿終了番号＝原稿番号１＝原稿Ｂイメージ１を順に、伸長処理を実行するよう制御する。
【０２８８】
圧縮伸長部３４０は、ジョブ制御部３２０の制御に従って、原稿開始番号＝原稿番号２の原稿Ａイメージ１を伸長してページ（伸長後の画像データ）を生成し、この伸長後の画像データを記憶部３３０に記憶するとともに、原稿終了番号＝原稿番号１の原稿Ｂイメージ１を伸長してページ（伸長後の画像データ）を生成し、この伸長後の画像データを記憶部３３０に記憶する（ステップＳ３０２）。
【０２８９】
ジョブ制御部３２０は、圧縮伸長部３５０によってページが生成された場合、記憶部３３０から部番号１にかかわる原稿Ａイメージ１に対応するページ、原稿Ｂイメージ１に対応するページを順に読出して、画像出力装置４００へ出力する（図２０のステップＳ２０７，Ｓ２０８参照）。この場合、ジョブ制御部３２０は、「紙折りあり」の旨を画像出力装置４００へ通知する。
【０２９０】
画像出力装置４００は、ジョブ制御部３２０からの画像データに対応する画像を記録媒体に形成し、画像形成後の記録媒体を折り装置２０へ出力するとともに、「折あり」（紙折りあり）の旨を折り装置２０へ通知する（図２０のステップＳ２０９参照）。折り装置２０、画像出力装置４００からの記録媒体に対する折り処理を施し、折り処理後の記録媒体をフェイスダウンの状態で記録媒体出力部２２から出力する（図２０のステップＳＳ２１０参照）。
【０２９１】
ところで、ジョブ制御部３２０は、最終部（この例では部番号８）のページ生成が行われたか否かを判断する（ステップＳ３０３）。
【０２９２】
ステップＳ３０３において、ジョブ制御部３２０によって最終部のページ生成ではないと判断された場合、決定部３２２０は、次の部番号の原稿開始番号、原稿終了番号を求める（ステップＳ３０４）。ステップＳ３０４が終了した場合は、ステップＳ３０２に移行する。
【０２９３】
ステップＳ３０３において、ジョブ制御部３２０によって部番号８にかかわる記録媒体の出力であるため、最終部のページ生成であると判断された場合、この処理は終了となる。
【０２９４】
ところで、部番号１にかかわる記録媒体の出力が行われたときは、最終部のページ生成が実施されていないので、次の部番号である部番号２についてのページ生成順序が決定される。この部番号２においても、記録媒体の画像形成面の向きはフェイスダウン（排出面＝フェイスダウン）であるため、部番号１の場合と同じページ生成順序となる。
【０２９５】
また、画像出力装置４００による画像形成処理、折り装置２０による出力処理（折り処理を含む）は、部番号１の場合と同様である。
【０２９６】
部番号２にかかわるページ生成が終了した場合は、ステップＳ３０４で、ジョブ制御部３２０の決定部３２２０は、部番号３の原稿開始番号と原稿終了番号を求めることになる。このとき、部番号３の排出面はフェイスアップであり、原稿読み込み順が逆順であるため、これらの内容と、図８に示したページ生成順序決定規則情報とを基に、部番号３にかかわるページ生成順序として、ページ符号３２２３で示される順序（ページ生成順序）が決定される。すなわち、原稿開始番号は原稿番号１、原稿終了番号は原稿番号２となる。
【０２９７】
次に、ステップＳ３０２で、原稿開始番号＝原稿番号１の原稿Ｂイメージ２がページ生成された後、原稿Ａイメージ２がページ生成される。部番号４、部番号５もフェイスアップであるため、部番号３の場合と同じページ生成順序となる。「折なし」の出力パラメータが、ジョブ制御部３２０から画像出力装置４００へ通知され、さらに画像出力装置４００から折り装置２０へ通知される。そのため、折り装置２０の記録媒体出力部２３からは、折なしの記録媒体がフェイスアップで出力される。
【０２９８】
部番号５にかかわるページ生成が終了した場合は、ステップＳ３０４で、ジョブ制御部３２０の決定部３２２０は、部番号６の原稿開始番号と原稿終了番号を求めることになる。このとき、部番号６の排出面はフェイスダウンであり、原稿読み込み順が逆順であるため、これらの内容と、図８に示したページ生成順序決定規則情報とを基に、部番号３にかかわるページ生成順序として、ページ符号３２２４で示される順序（ページ生成順序）が決定される。すなわち、原稿開始番号は原稿番号２、原稿終了番号は原稿番号１となる。
【０２９９】
ステップＳ３０２で、原稿開始番号＝原稿番号２の原稿Ａイメージ１がページ生成された後、原稿Ａイメージ１がページ生成され、これら生成されたページ（画像データ）は記憶部に記憶される。
【０３００】
また、部番号６の出力パラメータとして、「スタンプ３番」、「折あり」が指定されているため、ジョブ制御部３２０は、記録部３３０から読み出したページ（画像データ）と３番スタンプの画像とを合成し、合成後のページ（画像データ）を画像出力装置４００へ出力するとともに、「折あり」の出力パラメータを画像出力装置４００へ通知する。
【０３０１】
画像出力装置４００は、ジョブ制御部３２０からの画像データに対応する画像を記録媒体に形成し、画像形成後の記録媒体を折り装置２０へ出力するとともに、「折あり」の出力パラメータを折り装置２０へ通知する。折り装置２０は、画像出力装置４００からの記録媒体に対する折り処理を施し、折り処理後の記録媒体をフェイスダウンの状態で記録媒体出力部２２から出力する。
【０３０２】
部番号６に後続の部番号７、部番号８もフェイスダウンであるため、部番号６の場合と同じページ生成順序となる。また、出力パラメータとして「スタンプ３番」、「折あり」が指定されているため、記録部３３０から読み出されるページ（画像データ）と３番スタンプの画像とが合成され、この合成後のページ（画像データ）に対する画像形成処理が実施される。この画像形成処理後の記録媒体に対する折り処理が実施され、この折り処理後の記録媒体は、フェイスダウンの状態で出力されることになる。
【０３０３】
そして、部番号８のページ生成が終了した場合、ステップＳ３０３において最終部のページ生成であると判断され、マルチジョブソートのページ生成処理が終了する。
【０３０４】
以上説明したように、第３の実施の形態では、部数単位毎に指定される出力先から出力される記録媒体の画像形成面の向きが上向きあるいは下向きの何れの場合であっても、ユーザの意図した出力順序で複数の記録媒体が出力される。
【０３０５】
また、部毎（部数単位毎）に排出面（記録媒体の画像形成面）の向きが変化するようなソートの出力においても、部毎の用紙の排出面を考慮してページ生成順序が制御されるので、部毎に排出面の向きが変化しない場合と同様な時間で出力結果が得られる。
【０３０６】
（第４の実施の形態）
【０３０７】
第４の実施の形態に係わる画像形成システムは、図１に示した第１の実施の形態の画像形成システムと同様の構成になっている。
【０３０８】
第４の実施の形態において、操作パネル制御部３１０は、操作パネル１００によって設定された上記入力順序情報（正順または逆順）、上記出力先情報（紙折りの有無や後方排出または前方排出つまりフェイスダウンまたはフェイスアップ）、複数のページの原稿にかかわる画像形成すべき複数部数を示す部数情報、および当該部数情報に基づく複数部数のうち一部目を先行して出力する旨を示す先行出力情報を受け付けるとともに、これら受け付けた情報をジョブ制御部３２０へ出力する。
【０３０９】
ジョブ制御部３２０では、取得部３２１０は、操作パネル制御部３１０からの入力順序情報、出力先情報、部数情報、および先行出力情報を取得する。
【０３１０】
決定部３２２０は、先行出力情報を基に一部目のみを先行して出力すべきと認識した場合に、入力順序情報（正順または逆順）と出力先情報に基づく出力先での記録媒体の出力形態として予め定められている記録媒体の画像形成面の向き（フェイスダウンまたはフェイスアップ）とに基づき決定される複数のページの出力順序が原稿の入力順序とは異なるときは、一部目のみについて、ページ（原稿）毎に、原稿の読み込み処理と原稿の入力順序で当該読み込み処理の結果に応じた画像データに基づく画像形成処理の結果の出力処理とが実施されるよう制御する。
【０３１１】
また、決定部３２２０は、先行出力情報を基に一部目のみを先行して出力すべきと認識した場合は、一部目については二部目以降とは異なる順序で出力処理される旨の通知を行う。この場合、一部目の記録媒体の出力順序つまりページ生成順序は原稿の入力順序（正順または逆順）と同じになる。
【０３１２】
「複数のページの出力順序が原稿の入力順序とは異なるとき」とは、原稿の入力順序が例えばページ１、ページ２、ページ３、ページ４、ページ５の順である場合に、複数のページ（記録媒体）の出力順序がページ５、ページ４、ページ３、ページ２、ページ１の順となる場合である。
【０３１３】
すなわち、原稿の入力順序が、正順の場合には、図２４（ａ）に示すように、ページ１、ページ２、ページ３、ページ４、ページ５の順に読み込まれ、一方、逆順の場合は、図２４（ｂ）に示すように、ページ５、ページ４、ページ３、ページ２、ページ１の順に読み込まれる。なお、正順の場合あるいは逆順の場合の何れにおいても、原稿セットを原稿の画像形成面から見た場合、ページ１、ページ２、ページ３、ページ４、ページ５の順になっている。
【０３１４】
そして、原稿の入力順序が正順の場合あるいは逆順の場合の何れの場合においても、画像が形成される記録媒体の出力のときは、第１の実施の形態の場合と同様に、記録媒体をその画像形成面から見た場合、ページ１、ページ２、ページ３、ページ４、ページ５の順になるように画像出力するようにする。
【０３１５】
そのため、記録媒体をフェイスダウンで出力する場合には、図２４（ｃ）に示すように、ページ１、ページ２、ページ３、ページ４、ページ５の順に記録媒体が出力され、一方、記録媒体をフェイスアップで出力する場合は、図２４（ｄ）に示すように、ページ５、ページ４、ページ３、ページ２、ページ１の順に記録媒体が出力される。
【０３１６】
上述したことから、原稿を正順で入力し、記録媒体をフェイスアップで出力する場合と、原稿を逆順で入力し、記録媒体をフェイスダウンで出力する場合の２つのパターンのときに、「複数のページの出力順序」と「原稿の入力順序」とが異なることになる。
【０３１７】
次に、ジョブ制御部の決定部によるページ生成順序決定処理（出力順序決定処理）について、図２５を参照して説明する。
【０３１８】
ユーザは、第１の実施の形態の場合と同様に、操作パネル１００に表示される複数の機能を示すメニューの中から「コピー」機能を選択し、その後、操作パネル１００に表示される複数の設定画面項目の中から「紙折り設定画面」項目を選択する。
【０３１９】
この「紙折り設定画面」項目が選択されると、操作パネル制御部３１０の制御により紙折り設定画面が操作パネル１００に表示されるので、ユーザは、その紙折り設定画面に対し紙折りの有無を指定し、その後、ボタン「閉じる」を選択する（図３参照）。
【０３２０】
次に、ユーザが操作パネル１００に表示されている複数の設定画面項目の中から「仕分け設定画面」項目を選択すると、操作パネル制御部３１０の制御により仕分け設定画面が操作パネル１００に表示されるので、ユーザは、その仕分け設定画面に対し仕分け方法として「ソート」を設定（指定）するとともに原稿順（原稿挿入順）として「逆順」または「正順」を設定（指定）し、さらにボタン「閉じる」を選択する（図２参照）。
【０３２１】
さらに、ユーザは、操作パネル１００に表示される部数を設定するための部数設定画面に対し複数部数（２以上の数値）を設定する。
【０３２２】
上述したようにして紙折り設定画面に対して設定された設定内容（出力先情報つまり紙折りの有無）、仕分け設定画面に対して設定された設定内容（入力順序情報つまり正順または逆順）および部数設定画面に対して設定された設定内容（２以上の数値）は、操作パネル制御部３１０を介してジョブ制御部３２０に与えられる。
【０３２３】
ジョブ制御部３２０では、取得部３２１０は、上記仕分け設定画面に対して設定された設定内容および上記紙折り設定画面に対して設定された設定内容を取得し、これら取得した各情報（設定内容）を決定部３２２０へ出力する。
【０３２４】
決定部３２２０は、取得部３２１０からの各情報のうち、折り設定画面に対して設定された設定内容（紙折りの有無）に基づき、「紙折りあり」であるか否かを判断する（ステップＳ４０１）。
【０３２５】
決定部３２２０は、ステップＳ４０１において、「紙折りあり」ではないと判断した場合（「紙折りなし」であると判断した場合）は、フェイスアップ出力であると認識し、その後、仕分け設定画面に対して設定された設定内容（正順または逆順）に基づき、ソートは正順あるいは逆順の何れであるかを判断する（ステップＳ４０２）。
【０３２６】
決定部３２２０は、ステップＳ４０２において、ソートは正順であると判断した場合には、ページ生成順序（出力順序）は図８の符号３２２１で示される順序（ページ生成順序）つまり入力順序に対し逆順（逆順排出）であると決定し（ステップＳ４０３）、一方、ソートは逆順であると判断した場合は、ページ生成順序（出力順序）は図８の符号３２２３で示される順序つまり入力順序に対し正順（正順排出）であると決定する（ステップＳ４０４）。
【０３２７】
決定部３２２０は、ステップＳ４０１において、「紙折りあり」であると判断した場合は、フェイスダウン出力であると認識し、その後、仕分け設定画面に対して設定された設定内容（正順または逆順）に基づき、ソートは正順あるいは逆順の何れであるかを判断する（ステップＳ４０５）。
【０３２８】
決定部３２２０は、ステップＳ４０５において、ソートは正順であると判断した場合には、ページ生成順序（出力順序）は図８の符号３２２２で示される順序つまり入力順序に対し正順（正順排出）であると決定し（ステップＳ４０６）、一方、ソートは逆順であると判断した場合は、ページ生成順序（出力順序）は図８の符号３２２４で示される順序つまり入力順序に対し逆順（逆順排出）であると決定する（ステップＳ４０７）。
【０３２９】
ステップＳ４０３を終了した場合、ステップＳ４０４を終了した場合、ステップＳ４０６を終了した場合、またはステップＳ４０７を終了した場合、この処理は終了となる。
【０３３０】
ステップＳ４０３を終了した場合またはステップＳ４０７を終了した場合は、出力順序が原稿の入力順序に対し逆順の場合の画像形成処理が実行される。
【０３３１】
ステップＳ４０４を終了した場合またはステップＳ４０６を終了した場合は、出力順序が原稿の入力順序に対し正順の場合の画像形成処理が実行される。
【０３３２】
次に、画像形成システムによる画像形成処理（出力順序が原稿の入力順序に対し逆順の場合の画像形成処理）について、図２６を参照して説明する。
【０３３３】
ここでは、図２５の処理手順においてステップＳ４０３を終了した場合またはステップＳ４０７を終了した場合の、出力順序が原稿の入力順序に対し逆順の場合の画像形成処理について説明する。
【０３３４】
この画像形成処理が実施されるときは、ジョブ制御部３２０では、決定部３２２０は、既に図２５の処理手順のステップＳ４０３またはステップＳ４０７において、ページ生成順序は最後の画像データから最初の画像データに向かう順序（原稿の入力順序に対し逆順）であると決定している。
【０３３５】
ジョブ制御部３２０の決定部３２２０によってページ生成順序が入力順序に対し逆順（逆順排出）であると決定された場合、操作パネル制御部３１０は、図２７（ａ）に示すような「一部目を先行して出力するか否かの選択肢」を操作パネル１００に表示させる（ステップＳ５０１）。
【０３３６】
ちなみに、図２７（ａ）に示す表示内容が表示されるのは、ユーザが、紙折り設定画面に対し「紙折りなし」を設定するとともに仕分け設定画面に対し原稿順（原稿挿入順）として「正順」を設定した場合、または紙折り設定画面に対し「紙折りあり」を設定するとともに仕分け設定画面に対し原稿順（原稿挿入順）として「逆順」を設定した場合のときである。
【０３３７】
この例では、ユーザが紙折り設定画面に対し「紙折りなし」を設定するとともに仕分け設定画面に対し仕分け方法として「ソート」を設定（指定）するとともに原稿順（原稿挿入順）として「正順」を設定し、部数設定画面に対し「３部（数値３）」を設定した場合の画像形成処理を想定する。
【０３３８】
ステップＳ５０１を終了した操作パネル制御部３１０は、ユーザによる操作パネル１００の操作により選択された選択肢情報を基に、一部目先行出力を実施するか否かを判断する（ステップＳ５０２）。
【０３３９】
操作パネル制御部３１０は、ステップＳ５０２において、上記選択肢情報が「一部目先行出力」の項目に対応して選択された選択肢「ＹＥＳ」（一部目先行出力する旨）なので、一部目先行出力を実施すると判断した場合は、図２７（ｂ）に示すような「一部目のみ、読み込みと並行して出力され、原稿入力順に出力される旨」を操作パネル１００に表示させる（ステップＳ５０３）。
【０３４０】
また、操作パネル制御部３１０は、上述したようにして一部目先行出力を実施すると判断したときは、その旨をジョブ制御部３２０へ通知する。
【０３４１】
ユーザは、操作パネル１００に表示された図２７（ｂ）に示す表示内容を了解したうえでコピーする場合、複数のページで構成される原稿（原稿束）を正順で、ページ（原稿）毎に、画像読取装置２００の原稿挿入口２０２に原稿を手差し挿入し、原稿の読み取りを開始する旨を指示する（スタートボタンを押下する）。
【０３４２】
例えば、ページ１、ページ２、ページ３、ページ４、ページ５の５ページ分の原稿束の場合、ユーザは、ページ１の原稿を画像読取装置２００に挿入してスタートボタンを押下し、画像読取装置２００が画像読み取りし得る状態になったら、次のページ２の原稿を画像読取装置２００に挿入してスタートボタンを押下する。このような操作を最終のページ５の原稿まで行うようにする。この場合、前記原稿束は、図９（ａ）に示すような原稿の入力順序で画像読取装置２００に挿入され読み込まれることになる。
【０３４３】
また、ユーザは、全ての原稿についての読み取りのための操作が終了した場合、原稿終了を示す旨を指示する（原稿終了ボタンを押下する）。例えば、ユーザは、最終のページ５の原稿を画像読取装置２００に挿入してスタートボタンを押下し、画像読取装置２００が画像読み取りし得る状態になったら、原稿終了ボタンを押下する。
【０３４４】
これらスタートボタンが押下された旨および原稿終了ボタンが押下された旨は、操作パネル制御部３１０を介してジョブ制御部３２０に与えられる。
【０３４５】
画像読取装置２００は、スタートボタンが押下されたことに起因するジョブ制御部３２０の制御に従って、手差し挿入された原稿に対する原稿画像の読み取り処理を実行する（ステップＳ５０４）。
【０３４６】
すなわち、画像読取装置２００は、原稿搬送ローラ２１０を回転することにより原稿挿入方向２０１Ａに搬送しながら画像読み取りセンサ２２０によって光学的に読み取るとともに、この読み取りの結果（アナログの画像データ）に対応する画像データ（デジタルの画像データ）を生成し、さらに生成した画像データ（デジタルの画像データ）をコントローラ３００へ出力する。
【０３４７】
コントローラ３００では、ジョブ制御部３２０は、画像読取装置２００からの画像データ（原稿イメージ）を取得し、この取得した画像データを記憶部３３０に格納（蓄積）する（ステップＳ５０５）。
【０３４８】
ジョブ制御部３２０が、記憶部３３０から読み出した画像データと紙折りしない旨とを画像出力装置４００へ出力すると、画像形成装置４００と折り装置２０との協働による画像出力処理が実施される（ステップＳ５０６）。
【０３４９】
すなわち、画像出力装置４００では、例えばロール紙供給部４３２がロール紙を画像形成部４１０に向けて供給し、カッター４４２がその供給されるロール紙を例えばＡ０サイズの記録媒体になるよう切断し、さらに用紙搬送ローラ４５２がこのＡ０サイズの記録媒体を画像形成部４１０に向けて搬送すると、画像形成部４１０は、コントローラ３００からの画像データに基づき、搬送されてきた記録媒体に画像を形成する。
【０３５０】
また、画像出力装置４００は、折り装置２０に対し、コントローラ３００のジョブ制御部３２０から通知された「紙折りしない旨」を通知する。
【０３５１】
画像形成部４１０によって画像が形成され定着が実施された記録媒体は、画像出力装置４００の記録媒体出力部４２０からフェイスアップの状態で出力され、折り装置２０に向けて搬送される。
【０３５２】
折り装置２０は、画像出力装置４００から通知された「紙折りしない旨」を基に、画像出力装置４００から搬送されてくる記録媒体を、紙折りしないでフェイスアップの状態で記録媒体出力部２２から出力する。
【０３５３】
そのため、折り装置２０からは、一部目に関して、ページ１、ページ２、ページ３、ページ４、ページ５の順に記録媒体が紙折りなしでフェイスアップの状態で出力されることとなる。
【０３５４】
ジョブ制御部３２０は、操作パネル制御部３１０を介して原稿終了ボタンが押下された旨を受け取ったか否かに応じて、画像出力対象の原稿は終了であるか否かを判断する（ステップＳ５０７）。
【０３５５】
ステップＳ５０７において、ジョブ制御部３２０によって、原稿終了ボタンが押下された旨を受け取らないので画像出力対象の原稿は終了ではないと判断された場合は、ステップＳ５０４に移行する。
【０３５６】
ステップＳ５０７において、ジョブ制御部３２０によって、原稿終了ボタンが押下された旨を受け取ったので、画像出力対象の原稿は終了であると判断された場合は、二部目以降の画像出力処理が実施される（ステップＳ５０８）。
【０３５７】
ところで、原稿終了ボタンが押下された旨を受け取った時点、つまり上記の例ではページ１からページ５までの５ページ分の原稿が画像読取装置２００に挿入され読み込まれた時点では、記憶部３３０には、図９（ｂ）に示すように、ページ１、ページ２、ページ３、ページ４、ページ５の順にページの原稿に対応する画像データが記憶されていることになる。
【０３５８】
決定部３２２０は、上述したように既にページ生成順序は最後の画像データから最初の画像データに向かう順序（原稿の入力順序に対し逆順）であると決定しているので、ジョブ制御部３２０は、二部目以降についてはそのページ生成順序で画像出力されるように画像データを画像出力装置４００へ出力する。
【０３５９】
すなわち、ジョブ制御部３２０は、そのページ生成順序に従って記憶部３３０から画像データを読み出すとともに、この読み出した画像データを画像出力装置４００へ出力し、さらに、出力先は折り装置２０であって「紙折りしない旨」を画像出力装置４００へ通知する。
【０３６０】
この場合、記憶部３３０からは、二部目以降について部毎に、上記決定されたページ生成順序に従って、図１１（ａ）に示すように、ページ５、ページ４、ページ３、ページ２、ページ１の順序で画像データが読み出される。この例では、二部目についてページ５からページ１までの各画像データが読み出され、次に三部目についてページ５からページ１までの各画像データが読み出される。
【０３６１】
画像出力装置４００では、例えばロール紙供給部４３２がロール紙を画像形成部４１０に向けて供給し、カッター４４２がその供給されるロール紙を例えばＡ０サイズの記録媒体になるよう切断し、さらに用紙搬送ローラ４５２がこのＡ０サイズの記録媒体を画像形成部４１０に向けて搬送すると、画像形成部４１０は、コントローラ３００からの画像データに基づき、搬送されてきた記録媒体に画像を形成する。
【０３６２】
また、画像出力装置４００は、折り装置２０に対し、コントローラ３００のジョブ制御部３２０から通知された「紙折りしない旨」を通知する。
【０３６３】
画像形成部４１０によって画像が形成され定着が実施された記録媒体は、画像出力装置４００の記録媒体出力部４２０からフェイスアップの状態で出力され、折り装置２０に向けて搬送される。
【０３６４】
折り装置２０は、画像出力装置４００から通知された「紙折りしない旨」を基に、画像出力装置４００から搬送されてくる記録媒体を、紙折りしないでフェイスアップの状態で記録媒体出力部２２から出力する。
【０３６５】
そのため、折り装置２０からは、二部目以降に関して、図１１（ｂ）に示すように、ページ５、ページ４、ページ３、ページ２、ページ１の順に記録媒体が紙折りなしでフェイスアップの状態で出力されることとなる。この例では、二部目に関してページ５からページ１までの各記録媒体がフェイスアップで出力され、次に三部目に関してページ５からページ１までの各記録媒体がフェイスアップで出力される。
【０３６６】
このようにして記録媒体を出力した折り装置２０が、記録媒体の出力処理を正常終了した旨を画像出力装置４００へ通知すると、画像出力装置４０は、折り装置２０からの出力処理を正常終了した旨の通知を受けて、画像形成処理を正常終了した旨をコントローラ３００のジョブ制御部３２０へ通知する。
【０３６７】
上記画像形成処理を正常終了した旨の通知を受け付けたジョブ制御部３２０は、二部目から指定された複数部数までの部毎に、記憶部３３０に記憶されている複数のページに対応する複数の画像データを読み出したか否かを基に、複数部数に応じた全ての記録媒体が出力されたか否かを判断する（ステップＳ５０９）。
【０３６８】
このステップＳ５０９においては、例えば、複数部数＝３部の場合、三部目の最後の画像データこの例ではページ１の画像データが記憶部３３０から読みされ、このページ１の画像データに基づき画像出力が行われたときは、複数部数に応じた全ての記録媒体が出力されたと判断される。
【０３６９】
ステップＳ５０９において、ジョブ制御部３２０によって、複数部数に応じた全ての記録媒体が出力されていないと判断された場合にはステップＳ５０８に移行し、一方、複数部数に応じた全ての記録媒体が出力されと判断された場合は、この処理は終了となる。
【０３７０】
操作パネル制御部３１０は、ステップＳ５０２において、上記選択肢情報が「一部目先行出力」の項目に対応して選択された選択肢「ＮＯ」なので、一部目先行出力を実施しないと判断した場合は、一部目先行出力を実施しない旨をジョブ制御部３２０へ通知する。
【０３７１】
ユーザは、複数のページで構成される原稿（原稿束）を正順で、ページ（原稿）毎に、画像読取装置２００の原稿挿入口２０２に原稿を手差し挿入し、原稿の読み取りを開始する旨を指示する（スタートボタンを押下する）。また、ユーザは、全ての原稿についての読み取りのための操作が終了した場合、原稿終了を示す旨を指示する（原稿終了ボタンを押下する）。
【０３７２】
これらスタートボタンが押下された旨および原稿終了ボタンが押下された旨は、操作パネル制御部３１０を介してジョブ制御部３２０に与えられる。
【０３７３】
画像読取装置２００は、スタートボタンが押下されたことに起因するジョブ制御部３２０の制御に従って、手差し挿入された原稿に対する原稿画像の読み取り処理を実行する（ステップＳ５１０）。
【０３７４】
すなわち、画像読取装置２００は、原稿搬送ローラ２１０を回転することにより原稿挿入方向２０１Ａに搬送しながら画像読み取りセンサ２２０によって光学的に読み取るとともに、この読み取りの結果（アナログの画像データ）に対応する画像データ（デジタルの画像データ）を生成し、さらに生成した画像データ（デジタルの画像データ）をコントローラ３００へ出力する。
【０３７５】
コントローラ３００では、ジョブ制御部３２０は、画像読取装置２００からの画像データ（原稿イメージ）を取得し、この取得した画像データを記憶部３３０に格納（蓄積）する（ステップＳ５１１）。
【０３７６】
また、ジョブ制御部３２０は、操作パネル制御部３１０を介して原稿終了ボタンが押下された旨を受け取ったか否かに応じて、画像出力対象の原稿は終了であるか否かを判断する（ステップＳ５１２）。
【０３７７】
ステップＳ５１２において、ジョブ制御部３２０によって、原稿終了ボタンが押下された旨を受け取らないので画像出力対象の原稿は終了ではないと判断された場合は、ステップＳ５１０に移行する。
【０３７８】
ステップＳ５１２において、ジョブ制御部３２０によって、原稿終了ボタンが押下された旨を受け取ったので、画像出力対象の原稿は終了であると判断された場合は、ステップＳ５０８の場合と同様に、複数部数（一部目を含む複数部数）についての画像出力処理が実施される（ステップＳ５１３）。
【０３７９】
このステップＳ５１３においては、一部目から三部目に関してページ５からページ１までの各記録媒体がフェイスアップで出力される。
【０３８０】
ステップＳ５１３が終了した場合は、ステップＳ５０９と同様の処理が実施される（ステップＳ５１４）。
【０３８１】
上述した例では、ユーザが紙折り設定画面に対し「紙折りなし」を設定するとともに仕分け設定画面に対し仕分け方法として「ソート」を設定（指定）するとともに原稿順（原稿挿入順）として「正順」を設定し、部数設定画面に対し例えば「３部（数値３）」を設定した場合の画像形成処理について説明したが、次のようにしてもよい。
【０３８２】
すなわち、ユーザが紙折り設定画面に対し「紙折りあり」を設定するとともに仕分け設定画面に対し仕分け方法として「ソート」を設定（指定）するとともに原稿順（原稿挿入順）として「逆順」を設定し、部数設定画面に対し例えば「３部（数値３）」を設定するようにしてもよい。
【０３８３】
この場合、ステップＳ５０４またはステップＳ５１０では、画像読取装置２００は、例えば、ページ１、ページ２、ページ３、ページ４、ページ５の５ページ分の原稿束に関して、ページ５、ページ４、ページ３、ページ２、ページ１の順（逆順）に挿入された原稿の読み取り処理を実施する。
【０３８４】
また、ステップＳ５０５では、ページ５、ページ４、ページ３、ページ２、ページ１の順にページの原稿に対応する画像データが記憶されることになる。
【０３８５】
ステップＳ５０６では、折り装置２０からは、一部目に関して、ページ５、ページ４、ページ３、ページ２、ページ１の順に記録媒体が折られフェイスダウンの状態で出力されることとなる。
【０３８６】
ステップＳ５０８では、折り装置２０からは、二部目以降に関して、ページ１、ページ２、ページ３、ページ４、ページ５の順に記録媒体が折られフェイスダウンの状態で出力されることとなる（図１２（ｂ）参照）。
【０３８７】
なお、操作パネル制御部３２０は、「ソート」の設定後、紙折り等の設定が変更されて用紙排出順が変更された場合で、ページ生成順序（出力順序）が逆順排出（原稿の入力順序に対し逆順）となったときは、操作パネル１００に対し、全ページ読み込み完了後まで出力が開始できない旨と、ソートの設定で一部目先行出力の設定ができる旨を通知（表示）するようにする。
【０３８８】
次に、画像形成システムによる画像形成処理（出力順序が原稿の入力順序に対し正順の場合の画像形成処理）について、図２８を参照して説明する。
【０３８９】
ここでは、図２５の処理手順においてステップＳ４０４を終了した場合またはステップＳ４０６を終了した場合の、出力順序が原稿の入力順序に対し逆順の場合の画像形成処理について説明する。
【０３９０】
この画像形成処理が実施されるときは、ジョブ制御部３２０では、決定部３２２０は、既に図２５の処理手順のステップＳ４０４またはステップＳ４０６において、ページ生成順序は最初の画像データから最後の画像データに向かう順序（原稿の入力順序に対し正順）であると決定している。
【０３９１】
この例では、ユーザが紙折り設定画面に対し「紙折りなし」を設定するとともに仕分け設定画面に対し仕分け方法として「ソート」を設定（指定）するとともに原稿順（原稿挿入順）として「逆順」を設定し、部数設定画面に対し例えば「３部（数値３）」を設定した場合の画像形成処理を想定する。
【０３９２】
ユーザの操作パネル１００の操作により上述した紙折り設定画面に対して設定された設定内容、仕分け設定画面に対して設定された設定内容、部数設定画面に対して設定された設定内容は、操作パネル制御部３１０を介してジョブ制御部３２０に与えられる。
【０３９３】
そして、ユーザが複数のページで構成される原稿（原稿束）を逆順で、ページ（原稿）毎に、画像読取装置２００の原稿挿入口２０２に原稿を手差し挿入し、原稿の読み取りを開始する旨を指示する（スタートボタンを押下する）。
【０３９４】
また、ユーザは、全ての原稿についての読み取りのための操作が終了した場合、原稿終了を示す旨を指示する（原稿終了ボタンを押下する）。
【０３９５】
これらスタートボタンが押下された旨および原稿終了ボタンが押下された旨は、操作パネル制御部３１０を介してジョブ制御部３２０に与えられる。
【０３９６】
ユーザによってスタートボタンが押下された場合は、図２６の処理手順のステップＳ５０４〜Ｓ５０９と同様の処理が実施される（ステップＳ６０１〜Ｓ６０６）。
【０３９７】
ステップＳ６０１では、画像読取装置２００は、例えば、ページ１、ページ２、ページ３、ページ４、ページ５の５ページ分の原稿束に関して、ページ５、ページ４、ページ３、ページ２、ページ１の順（逆順）に挿入された原稿の読み取り処理を実施する。
【０３９８】
ステップＳ６０２では、ページ５、ページ４、ページ３、ページ２、ページ１の順にページの原稿に対応する画像データが記憶されることになる。
【０３９９】
ステップＳ６０３では、折り装置２０からは、一部目に関して、ページ５、ページ４、ページ３、ページ２、ページ１の順に記録媒体が紙折りなしでフェイスアップの状態で出力されることとなる（図１１（ｂ）参照）。
【０４００】
ステップＳ６０５では、折り装置２０からは、二部目以降に関して、一部目の場合と同様に、ページ５、ページ４、ページ３、ページ２、ページ１の順に記録媒体が紙折りなしでフェイスアップの状態で出力されることとなる。
【０４０１】
ちなみに、ユーザが紙折り設定画面に対し「紙折りあり」を設定するとともに仕分け設定画面に対し仕分け方法として「ソート」を設定（指定）するとともに原稿順（原稿挿入順）として「正順」を設定し、部数設定画面に対し例えば「３部（数値３）」を設定した場合は、次のようになる。
【０４０２】
ステップＳ６０１では、画像読取装置２００は、例えば、ページ１、ページ２、ページ３、ページ４、ページ５の５ページ分の原稿束に関して、ページ１、ページ２、ページ３、ページ４、ページ５の順（正順）に挿入された原稿の読み取り処理を実施する。
【０４０３】
ステップＳ６０２では、ページ１、ページ２、ページ３、ページ４、ページ５の順にページの原稿に対応する画像データが記憶されることになる。
【０４０４】
ステップＳ６０３では、折り装置２０からは、一部目に関して、ページ１、ページ２、ページ３、ページ４、ページ５の順に記録媒体が折られてフェイスダウンの状態で出力されることとなる（図１２（ｂ）参照）。
【０４０５】
ステップＳ６０５では、折り装置２０からは、二部目以降に関して、一部目の場合と同様に、ページ１、ページ２、ページ３、ページ４、ページ５の順に記録媒体が折られてフェイスダウンの状態で出力されることとなる。
【０４０６】
以上説明したように第４の実施の形態では、複数の記録媒体の出力順序が複数の原稿の入力順序とは異なる場合に、ユーザは画像形成の結果が意図した内容であるかを迅速に確認し得る。
【０４０７】
また、ユーザは、先行して出力される一部目の記録媒体は二部目以降の記録媒体とは異なる順序で出力されるということを認識したうえで、一部目にかかわる画像形成の結果が意図した内容であるかを迅速に確認し得る。
【０４０８】
このようなことから、出力順序が原稿の入力順序に対し逆順となる場合（逆順排出となる場合）にも実際の出力結果を迅速に得られる。出力の各種設定の修正や調整が容易となり、ユーザの期待する結果を得やすくなる。プレビューやジョブの編集と比べ、ユーザによる直前原稿の削除や再設定での修正をし得るので技術的にも容易となる。
【０４０９】
次に、第１の実施の形態から第４の実施の形態に係わる画像形成装置のハードウェア構成について、図２９を参照して説明する。
【０４１０】
画像形成装置１０は、図２９に示すように、ＣＰＵ１１、記憶装置１２、ＲＯＭ１３、ＲＡＭ１４、インタフェース１５Ａ，１５Ｂ，１５Ｃ，ＡＳＩＣ１６、通信Ｉ／Ｆ１７、インタフェース１５Ａに接続された操作パネル１８Ａ、インタフェース１５Ｂに接続されたスキャナ１８Ｂ、インタフェース１５Ｃに接続された印刷エンジン１８Ｃを有している。これら各構成要素１１〜１４，１５Ａ〜１５Ｃ，１６，１７はシステムバス１９に接続されている。
【０４１１】
また、各構成要素１１〜１４，１５Ａ〜１５Ｃ，１６は図１に示したコントローラ３００を形成する。
【０４１２】
記憶装置１２は、例えばハードディスクであり、図１に示したジョブ制御部３２０（取得部３２１０および決定部３２２０を含む）の機能を実現するためのソフトウェア（プログラム）、処理プログラム１２Ａなどインストールされた各種のプログラムを記憶している。
【０４１３】
また、記憶装置１２は、図１に示した外部記憶装置３５０の機能を有するものであり、例えば圧縮された画像データを蓄積する。
【０４１４】
処理プログラム１２Ａは、取得処理過程および決定処理過程を含んでいる。取得部３２１０は取得処理過程を実行し、決定部３２２０は決定処理過程を実行する。
【０４１５】
ＲＯＭ１３は、読み出し専用メモリであり、外部の装置とのデータ通信を行うための通信プロトコル情報を記憶している。
【０４１６】
ＲＡＭ１４は、随時書き込み読み出しメモリであり、記憶装置１２から読み込まれた処理プログラム１２Ａを含むプログラムや、ＲＯＭ１３から読み込まれた通信プロトコル情報などを記憶する。
【０４１７】
また、ＲＡＭ１４は図１に示した記憶部３３０の機能およびは図１７に示したジョブメモリ記憶部３６０の機能を有するものであり、ＲＡＭ１４には、原稿の画像データや入力情報を記憶する第１の記憶領域と、ページ生成順序決定規則を示す情報（図８参照）を予め記憶する第２の記憶領域と、マルチジョブソートページ生成情報（図２２参照）を記憶する第３の記憶領域と、ジョブメモリ（ジョブパラメータ）を記憶する第４の記憶領域とが割り当てられている。
【０４１８】
なお、ＲＡＭ１４は上述したように第１から第４の記憶領域が割り当てられる構成になっているが、第１から第４の記憶領域のそれぞれを一つのＲＡＭに割り当てるなど、前記４つの記憶領域に関して複数のＲＡＭに割り当てるようにしてもよい。
【０４１９】
インタフェース１５Ａは、データ通信を実行するＡＳＩＣ（Ａｐｐｌｉｃａｔｉｏｎ  Ｓｐｅｃｉｃａｔｉｏｎ  Ｉｎｔｅｇｒａｔｅｄ  Ｃｉｒｃｕｉｔ：特定用途向けＩＣ）を備えており、操作パネル１８Ａとの通信を行う。操作パネル１８Ａは、図１に示した操作パネル１００の機能を果たす。
【０４２０】
インタフェース１５Ｂは、データ通信を実行するＡＳＩＣ（特定用途向けＩＣ）を備えており、スキャナ１８Ｂとの通信を行う。スキャナ１８Ｂは、図１に示した画像読取部２００の機能を果たす。
【０４２１】
インタフェース１５Ｃは、データ通信を実行するＡＳＩＣ（特定用途向けＩＣ）を備えており、印刷エンジン１８Ｃとの通信を行う。印刷エンジン１８Ｃは、図１に示した画像形成部４１０の機能を果たす。
【０４２２】
ＡＳＩＣ１６は、画像データに対する圧縮処理および伸長処理を実行するＡＳＩＣ（特定用途向けＩＣ）であり、図１に示した圧縮伸長部３４０の機能を果たす。
【０４２３】
通信Ｉ／Ｆ１７は、データ通信を実行するＡＳＩＣ（特定用途向けＩＣ）を備えており、ネットワークなどの通信回線と接続されている。通信Ｉ／Ｆ１７は、ＲＯＭ１３からＲＡＭ１４へプロトコル情報を読み込んで実行することにより、通信回線を介して例えば印刷要求元のコンピュータなど外部の装置とのデータ通信を行う。
【０４２４】
ＣＰＵ１１は、中央演算処理装置であり、記憶装置１２からＲＡＭ１４へ、処理プログラム１２Ａを含むプログラムを読み込んで実行することにより、上述したジョブ制御部３２０（取得部３２１０および決定部３２２０）機能を実現するとともに、処理プログラム１２Ａに対応する処理機能を実現する。また、ＣＰＵ１１は画像形成装置全体を制御する。
【０４２５】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【０４２６】
また、プログラムを用いる場合には、ネットワークを介して提供し、或いはＣＤ−ＲＯＭ等の記憶媒体に格納して提供してもよい。
【０４２７】
すなわち、画像処理プログラムを含むプログラムをハードディスク等の記憶装置に記録する場合に限らず、当該プログラムを次のようにして提供してもよい。
【０４２８】
たとえば、プログラムをＲＯＭに格納しておき、ＣＰＵが、このプログラムをこのＲＯＭから主記憶装置へローディングして実行するようにしてもよい。
【０４２９】
また、上記プログラムを、ＤＶＤ−ＲＯＭ、ＣＤ−ＲＯＭ、ＭＯ（光磁気ディスク）、フレキシブルディスク、などのコンピュータ読み取りされる記憶媒体に格納して配布するようにしてもよい。
【０４３０】
さらには、画像形成装置等を通信回線（例えばインターネット）を介してサーバ装置あるいはホストコンピュータと接続するようにし、サーバ装置あるいはホストコンピュータから上記プログラムをダウンロードした後、このプログラムを実行するようにしてもよい。この場合、このプログラムのダウンロード先としては、ＲＡＭ等のメモリやハードディスクなどの記憶装置（記憶媒体）が挙げられる。
【産業上の利用可能性】
【０４３１】
本発明の画像形成装置は、電子写真プロセス方式あるいはインクジェット方式により、モノクロ印刷およびカラー印刷の少なくとも一方の印刷を実行する画像形成装置に適用するようにしてもよい。
【符号の説明】
【０４３２】
１，２  画像形成システム
１０  画像形成装置
２０  折り装置
２２，２３  記録媒体出力部
３０  用紙排出方向切換え装置
３２，３３  記録媒体出力部
１００  操作パネル
２００  画像読取装置
３００  コントローラ
３１０  操作パネル制御部
３２０  ジョブ制御部
３３０  記憶部
３４０  圧縮伸長部
３５０  外部記憶装置
４００  画像出力装置
４１０  画像形成部
４２０  記録媒体出力部
【図１】
2011137984.tif 000003
【図２】
2011137984.tif 000004
【図３】
2011137984.tif 000005
【図４】
2011137984.tif 000006
【図５】
2011137984.tif 000007
【図６】
2011137984.tif 000008
【図７】
2011137984.tif 000009
【図８】
2011137984.tif 000010
【図９】
2011137984.tif 000011
【図１０】
2011137984.tif 000012
【図１１】
2011137984.tif 000013
【図１２】
2011137984.tif 000014
【図１３】
2011137984.tif 000015
【図１４】
2011137984.tif 000016
【図１５】
2011137984.tif 000017
【図１６】
2011137984.tif 000018
【図１７】
2011137984.tif 000019
【図１８】
2011137984.tif 000020
【図１９】
2011137984.tif 000021
【図２０】
2011137984.tif 000022
【図２１】
2011137984.tif 000023
【図２２】
2011137984.tif 000024
【図２３】
2011137984.tif 000025
【図２４】
2011137984.tif 000026
【図２５】
2011137984.tif 000027
【図２６】
2011137984.tif 000028
【図２７】
2011137984.tif 000029
【図２８】
2011137984.tif 000030
【図２９】
2011137984.tif 000031